(57)【特許請求の範囲】
【請求項１】
一群の歯の仮想モデルを生成かつ改変する方法であって、前記一群の歯が、修復物の挿入を可能にするように構成されたインプラント領域を具備し、当該方法が、
前記一群の歯の少なくとも第１の３次元表現を獲得する段階と、
前記第１の３次元表現から前記一群の歯の仮想モデルを少なくとも部分的に生成する段階であって、前記一群の歯の前記仮想モデルは歯肉状部分を有し、該歯肉状部分は前記インプラント領域に対応する仮想的インプラント領域を有し、且つ、歯肉部の少なくとも一部分が前記インプラント領域を囲繞する段階と、
前記一群の歯の前記仮想モデルからインプラントの配向及び位置を決定する段階と、
前記修復物の仮想モデルを獲得する段階と、
前記修復物の前記仮想モデルの体積と、前記一群の歯の前記仮想モデルの前記歯肉状部分の体積との間における重なり合い部無しで、前記修復物の前記仮想モデルが前記仮想的インプラント領域内に仮想的に挿入され得るように、決定された前記インプラントの配向及び位置に基づいて前記一群の歯の前記仮想モデルの前記歯肉状部分を改変する段階と、
を含む方法。
【請求項２】
前記一群の歯の前記仮想モデルの前記歯肉状部分を改変する段階は、前記修復物の体積及び前記歯肉部の体積が重なり合わない様に、前記歯肉部の一部分をデジタル的に切り取る段階を含む請求項１に記載の方法。
【請求項３】
当該方法は、前記修復物の前記仮想モデルを、又は、オフセット表面により囲繞された体積を、前記一群の歯の前記仮想モデルから減算する段階を含む請求項１に記載の方法。
【請求項４】
前記修復物の前記仮想モデルと、前記一群の歯の前記仮想モデルの前記歯肉状部分との夫々の隣接表面の間にはオフセットが設けられている請求項３に記載の方法。
【請求項５】
前記一群の歯の前記仮想モデルの前記歯肉状部分は、前記仮想的インプラント領域における第１表面を画成し、
前記一群の歯の前記仮想モデルを改変する段階は、前記第１表面を第２表面により置き換える段階を含み、
前記第２表面は、前記修復物の前記仮想モデルが、前記一群の歯の改変された前記仮想モデルとの重なり合い部無しで前記仮想的インプラント領域内に仮想的に配置されるように形状化される請求項１に記載の方法。
【請求項６】
前記第２表面の少なくとも一区画は、前記修復物の前記仮想モデルの表面の一部分をオフセットすることにより画成される請求項５に記載の方法。
【請求項７】
当該方法は、前記修復物の前記仮想モデルのための周縁ラインを特定する段階を含む請求項１に記載の方法。
【請求項８】
前記周縁ライン及び前記修復物のために決定された挿入経路により挺出体積が定義され、且つ、
前記仮想モデルの前記歯肉状部分を改変する段階は、前記挺出体積を前記仮想モデルから減算する段階を含む請求項７に記載の方法。
【請求項９】
前記一群の歯の仮想モデルの前記歯肉状部分は、該歯肉部に対して材料を仮想的に付加した後で、前記仮想的インプラント領域において第３表面を画成し、
前記一群の歯の仮想モデルの前記歯肉状部分は、前記第２表面により第１歯肉状領域及び第２歯肉状領域へと分割され、
前記第２歯肉状領域は前記第２表面と前記第３表面との間に配置され、前記第２表面は、前記第１歯肉状領域と前記第２歯肉状領域との間の境界部を形成する請求項５に記載の方法。
【請求項１０】
患者の前記一群の歯を、前記インプラント領域に配置された走査体と共に走査することにより、前記一群の歯の前記第１の３次元表現が獲得され、前記仮想モデルが前記走査体に関するデータを含む請求項１に記載の方法。
【請求項１１】
患者の前記一群の歯を、前記インプラント領域におけるエマージェンスプロファイルを視認可能とし乍ら走査することにより、前記一群の歯の第２の３次元表現が獲得される請求項１に記載の方法。
【請求項１２】
前記一群の歯の仮想モデルは、前記第２の３次元表現から少なくとも部分的に生成される請求項１１に記載の方法。
【請求項１３】
前記走査体の仮想モデルが提供されると共に、前記一群の歯の前記仮想モデルと仮想的に整列されることで、前記インプラントの配向及び位置が決定される請求項１０に記載の方法。
【請求項１４】
当該方法は、前記モデルの歯肉状部分を前記修復物の回りにデジタル的に再位置決めする段階を含む請求項１に記載の方法。
【請求項１５】
前記一群の歯の仮想モデルの前記歯肉状部分をデジタル的に再位置決めする段階は、前記修復物の仮想モデルから歯肉部をデジタル的に離間移動させる段階を含む請求項１４に記載の方法。
【請求項１６】
一群の歯の物理的模型を生成する方法であって、前記一群の歯が、修復物の挿入を可能にするように構成されたインプラント領域を具備し、当該方法が、
前記一群の歯の３次元表現を獲得する段階と、
前記３次元表現から前記一群の歯の仮想モデルを生成して改変する段階であって、前記一群の歯の仮想モデルは歯肉状部分を有し、該歯肉状部分は前記インプラント領域に対応する仮想的インプラント領域を有し、且つ、歯肉部の少なくとも一部分が前記インプラント領域を囲繞する段階と、
前記一群の歯の前記３次元表現からインプラントの配向及び位置を決定する段階と、
決定された前記インプラントの配向及び位置に基づいて前記歯肉状部分を改変し、前記一群の歯の前記仮想モデルの領域であって、修復物の挿入のために構成された領域において、修復物の挿入を可能とする段階と、
前記一群の歯の改変された前記仮想モデルから前記物理的模型を製造する段階と、
を含む方法。
【発明の詳細な説明】
【技術分野】
【０００１】
本発明は概略的に、一群の歯の物理的模型を製造するために該一群の歯の仮想モデルを生成する方法及びシステムと、一群の歯の物理的模型とに関する。
【背景技術】
【０００２】
本発明は、例えば、歯科的インプラントに関し、且つ、一群の歯の物理的模型の歯肉状部分内へと修復物が挿入される他の用途に関して使用され得る。
【発明の概要】
【発明が解決しようとする課題】
【０００３】
患者に対する歯科的修復物を設計するとき、歯科技工士は、患者の一群の歯の物理的模型を使用することが多い。多くの場合、アバットメント、及び、対応するクラウン又はブリッジのような設計された修復物は、それが患者の歯肉の一部分を穏やかに変位させるように形状化されることが好適である。患者の一群の歯の物理的模型が、歯科技工士により容易には変位／変形されない材料で作成されたとき、斯かる修復物の設計態様は、その修復物が、患者の一群の歯の物理的模型内に挿入され得ないという結果になる。
【課題を解決するための手段】
【０００４】
修復物の挿入のために構成された領域であって、当該一群の歯の歯肉状部分に配置される領域を備えて成る一群の歯の仮想モデルを生成かつ改変する方法であって、
前記一群の歯の少なくとも１つの３次元表現を獲得する段階と、
前記３次元表現から前記一群の歯の仮想モデルを生成する段階であって、前記一群の歯の仮想モデルは歯肉状部分を備えて成り、該歯肉状部分は修復物の挿入のために構成された前記領域に対応する仮想領域を備えて成り、且つ、歯肉部の少なくとも一部分は該領域を囲繞する段階と、
前記修復物の仮想モデルを獲得する段階と、
前記修復物の仮想モデルの体積と、前記一群の歯の仮想モデルの前記歯肉状部分の体積との間における重なり合い部無しで、前記修復物の仮想モデルが前記仮想領域内に仮想的に挿入され得るように、前記一群の歯の仮想モデルの前記歯肉状部分を改変する段階とを備えて成る、方法が開示される。
【０００５】
前記一群の歯の仮想モデルの前記歯肉状部分の少なくとも一部分は、患者の一群の歯の歯肉部分に対応し得る。
【０００６】
一群の歯の物理的模型を製造するための一群の歯の仮想モデルを生成する方法であって、
前記一群の歯の３次元表現を獲得する段階と、
修復物の仮想モデルを獲得する段階であって、前記修復物の仮想モデルの少なくとも歯肉下部分は解剖学的に正しい修復物の形状を有するように構成される段階と、
前記３次元表現から一群の歯の仮想モデルを生成する段階であって、前記一群の歯の仮想モデルは歯肉状部分を備えて成り、前記歯肉状部分は、歯肉部と、修復物の挿入のために構成された領域とを備えて成り、且つ、前記歯肉状部分は、前記修復物が前記領域に挿入されたときに該修復物の体積と前記歯肉状部分の体積とが重なり合わないことを実現すべく構成される段階とを備えて成る、方法が開示される。
【０００７】
本発明に関し、修復物に関して使用される「〜の歯肉下部分」という表現は、前記修復物が一群の歯の仮想モデル又は物理的模型内に挿入されたときに歯肉部の表面の下方に位置する該修復物の部分を指し得る。前記歯肉下部分は、前記修復物が一群の歯の模型の歯肉状部分に挿入されたときに境界ラインの下方に配置される該修復物の部分であり得る。
【０００８】
前記修復物の歯肉下部分は、異なる形状を取り得る。幾つかの実施例において、修復物の歯肉下部分は、該修復物の長手方向に沿い変化する断面寸法を有する。修復物の境界ラインにおける該修復物の直径が、歯肉状部分の表面の更に下方の直径より大寸であるように、前記修復物の歯肉下部分の断面寸法は、前記境界ラインに向けて増大し得る。前記断面寸法とは、前記修復物の挿入方向に対して直交し得る断面平面における該修復物の直径又は面積であり得る。
【０００９】
本発明は概略的に、修復物が当該歯肉状部分の所定領域に挿入されたときに、該修復物の体積と前記歯肉状部分の体積とが重なり合わないことを実現すべく構成された歯肉状部分に関し得る。
【００１０】
前記修復物の仮想モデルは、該修復物全体、又は、該修復物の一部を備えて成り得る。
【００１１】
幾つかの実施例において、前記３次元表現から生成された仮想モデルの歯肉状部分は、前記修復物の体積と前記歯肉状部分の体積とが重なり合わないことを直接的に実現する。これは例えば、前記仮想モデルが前記３次元表現から生成されるのと同一の段階において、歯肉状部分が修復物の挿入のために構成されることを前記方法が実現する、という場合であり得る。
【００１２】
幾つかの実施例において、前記一群の歯の仮想モデルは一段階にて生成されると共に、その場合、該仮想モデルの歯肉状部分は引き続き、修復物の体積と該歯肉状部分の体積とが重なり合わないことを実現すべく改変される。これは例えば、前記仮想モデルが前記３次元表現から生成された後に、前記歯肉状部分が修復物の挿入のために構成されることを前記方法が実現する、という場合であり得る。
【００１３】
幾つかの実施例において、前記一群の歯の仮想モデルの前記歯肉状部分は、前記修復物の仮想モデルと、該一群の歯の仮想モデルの歯肉状部分との夫々の隣接表面は相互に追随することを実現すべく改変される。
【００１４】
幾つかの実施例において、前記修復物の仮想モデルと、前記一群の歯の仮想モデルの歯肉状部分との夫々の前記隣接表面の間にはオフセットが設けられている。該オフセットは、前記修復物の前記歯肉下部分の一部分に亙り実質的に均一とされ得る。
【００１５】
本発明に関し、「夫々の隣接表面」という表現は、例えば、一群の歯の仮想モデルに対して修復物の仮想モデルがその解剖学的に正しい位置に配置されたときに、相互に隣接する仮想表面同士に関して使用され得る。該表現はまた、修復物の仮想モデルから形成された修復物が一群の歯の物理的模型に配置されたときにおける該修復物の表面に関しても使用され得る。
【００１６】
幾つかの実施例において、前記一群の歯の仮想モデルの前記歯肉状部分を改変する段階は、前記修復物の体積及び前記歯肉部の体積が重なり合わない様に、前記歯肉部の一部分をデジタル的に切り取る段階を備えて成る。前記デジタル的に切り取る段階は、一群の歯の物理的模型からの材料の除去に対応し得る。好適には、前記デジタル的に切り取る段階は、前記一群の歯の仮想モデルの前記歯肉状部分内に仮想的に配置された修復物の仮想モデルを以て行われる。
【００１７】
本発明により提供され得る１つの利点は、修復物を、一群の歯の仮想モデルの歯肉状部分に対してデジタル的に組み合わせる可能性であり、その場合、前記修復物の解剖学的に正しい形状が考慮される。
【００１８】
本発明により提供され得る１つの利点は、本発明に係る方法を用いて生成された一群の歯の仮想モデルから製造された物理的模型内へと、解剖学的に正しい修復物が挿入され得る、ということである。前記修復物は、前記模型における歯肉状部分及び一切の隣接歯に対し、該修復物の解剖学的に正しい位置及び解剖学的に正しい配向で配置され得る。これにより、例えば、歯科技工士は、一群の歯の物理的模型において、実際の修復物の形態及び配置を試験することが許容され得る。
【００１９】
一群の歯の物理的模型を製造するための一群の歯の仮想モデルを生成かつ改変する方法であって、
前記一群の歯の少なくとも１つの３次元表現を獲得する段階と、
前記３次元表現から前記一群の歯の仮想モデルを生成する段階であって、前記一群の歯の仮想モデルは歯肉部を備えて成る歯肉状部分を備えて成る段階と、
前記歯肉状部分を改変し、前記仮想モデルの領域であって、修復物の挿入のために構成された領域において、修復物の挿入を可能とする段階とを備えて成る、方法が開示される。
【００２０】
一群の歯の物理的模型を製造するための一群の歯の仮想モデルを生成する方法であって、
前記一群の歯の仮想モデルであって、歯肉部を備えて成る歯肉状部分を備えて成る仮想モデルを獲得する段階と、
前記モデルの前記歯肉状部分に対して当該修復物の解剖学的に正しい位置に配置されるべく構成された修復物の仮想モデルを獲得する段階であって、前記歯肉部の表面は前記修復物において第１表面を画成する段階と、
改変される歯肉部の表面が前記修復物において第２表面を画成するように、前記修復物における前記歯肉部を改変する段階であって、前記第２表面は、前記修復物の体積と、前記モデルの歯肉状部分の体積との間の重なり合い部を回避すべく構成される段階とを備えて成る、方法が開示される。
【００２１】
一群の歯の物理的模型を製造するための一群の歯の仮想モデルを調節する方法であって、
歯肉状部分を備えて成る前記一群の歯の仮想モデルの調節前形態を獲得する段階と、
前記モデルの前記歯肉状部分に対して当該修復物の解剖学的に正しい位置に配置すべく構成された修復物の仮想モデルを獲得する段階であって、前記修復物が前記解剖学的に正しい位置に配置されたとき前記一群の歯の仮想モデルの前記歯肉状部分の体積と、前記修復物の前記仮想モデルの体積と重なり合う段階と、
前記修復物に配置された前記一群の歯の仮想モデルの前記歯肉状部分の一部分を調節して、前記一群の歯の仮想モデルの調節後形態を提供する段階であって、前記調節後形態において、前記モデルの前記歯肉状部分は、前記修復物の前記仮想モデルの体積と、前記一群の歯の仮想モデルの前記歯肉状部分の体積との間の重なり合い部を回避すべく構成される段階とを備えて成る、方法が開示される。
【００２２】
一群の歯の物理的模型を製造するための一群の歯の仮想モデルを調節する方法であって、
歯肉状部分を備えて成る前記モデルの調節前形態を獲得する段階と、
前記修復物に配置された前記モデルの前記歯肉状部分の一部分を調節して、前記一群の歯の仮想モデルの調節後形態を提供する段階であって、前記調節後形態において、前記モデルの前記歯肉状部分は、該モデルの歯肉状部分において当該修復物の解剖学的に正しい位置に配置すべく構成された修復物の体積との重なり合い部を回避すべく構成される段階とを備えて成る、方法が開示される。
【００２３】
幾つかの実施例において、前記歯肉状部分の調節段階は、前記各体積間の重なり合い部が回避されるように前記歯肉状部分の形状を構成する段階を備えて成る。
【００２４】
幾つかの実施例において、前記方法は、前記歯肉状部分を修復物が変形し得るように、前記修復物における前記歯肉部の材料を十分に柔軟に構成する段階を備えて成る。このことは、石膏を歯科用シリコーン材料で置き換えるように、一群の歯の物理的模型から比較的に更に硬質の材料を除去すると共に、それを、比較的に更に柔軟な材料で置き換えることにより行われ得る。
【００２５】
一群の歯の物理的模型を生成する方法であって、
前記一群の歯の少なくとも１つの３次元表現を獲得する段階と、
前記少なくとも１つの３次元表現から前記一群の歯の仮想モデルを生成して改変する段階であって、前記一群の歯の仮想モデルは歯肉状部分を備えて成る段階と、
前記歯肉状部分を改変し、前記一群の歯の仮想モデルの領域であって、修復物の挿入のために構成された領域において、修復物の挿入を可能とする段階と、
前記一群の歯の仮想モデルから前記物理的模型を製造する段階とを備えて成る、方法が開示される。
【００２６】
幾つかの実施例において、前記方法は、修復物が前記模型内に挿入されたときに該修復物との重なり合い部を回避すべく前記歯肉状部分を構成する段階を備えて成る。斯かる重なり合い部によれば、前記模型の歯肉状部分内に前記修復物をその解剖学的に正しい位置で配置することが困難となり、不可能とさえなり得る。
【００２７】
本発明に係る前記方法により生成された仮想モデルから製造された、一群の歯の物理的模型が開示される。
【００２８】
本発明に関し、「修復物」という表現は、アバットメント、又は、前記アバットメント上に配置されたクラウンのような歯科的修復物全体、又は、修復物の一部分を指し得る。アバットメントは、カスタマイズされたアバットメント、又は、在庫のアバットメントであり得る。
【００２９】
前記方法の少なくとも１つの段階は、コンピュータにより実行される。幾つかの実施例においては、少なくとも、前記一群の歯の仮想モデルを生成して改変する段階がコンピュータにより実行される。
【００３０】
幾つかの実施例において、患者の前記一群の歯を、インプラント領域に配置された走査体（ｓｃａｎ  ｂｏｄｙ）と共に走査することにより、前記一群の歯の第１の３次元表現が獲得される。故に、前記走査体に関するデータは、前記一群の歯の仮想モデルの一部分となり得る。
【００３１】
幾つかの実施例において、前記一群の歯の仮想モデルは、前記第１の３次元表現から少なくとも部分的に生成される。故に、前記一群の歯の仮想モデルは、前記一群の歯の歯肉状部分に対応する区画を備えて成り得る。
【００３２】
幾つかの実施例において、患者の前記一群の歯を、前記インプラント領域におけるエマージェンスプロファイル（ｅｍｅｒｇｎｃｅ  ｐｒｏｆｉｌｅ）を視認可能とし乍ら走査することにより、前記一群の歯の第２の３次元表現が獲得される。この場合、歯肉のエマージェンスに関するデータが、導出され、又は、前記一群の歯の仮想モデルの一部となり得る。
【００３３】
幾つかの実施例において、前記一群の歯の仮想モデルは、前記第２の３次元表現から少なくとも部分的に生成される。その場合、前記一群の歯の仮想モデルは、前記歯肉状部分に対応する区画を備えて成り得る。
【００３４】
幾つかの実施例において、前記一群の歯の前記第１又は第２の３次元表現の一方は、患者の前記一群の歯の比較的に大寸の区画を走査することにより獲得され、且つ、前記第１又は第２の３次元表現の他方は、その後に、前記インプラント領域の回りの比較的に小寸の区画を走査することにより獲得される。
【００３５】
幾つかの実施例において、当該方法は、前記一群の歯の前記第１の３次元表現から、前記一群の歯の第１の仮想モデルを生成する段階を備えて成る。
【００３６】
幾つかの実施例において、当該方法は、前記一群の歯の前記第２の３次元表現から、前記一群の歯の第２の仮想モデルを生成する段階を備えて成る。
【００３７】
幾つかの実施例において、当該方法は、前記一群の歯の前記第１及び第２の仮想モデルを組み合わせて、前記一群の歯の前記仮想モデルを生成する段階を備えて成る。斯かる一群の歯の仮想モデルは、その場合、エマージェンスプロファイルと、インプラントの位置及び配向に関するデータとの両方を備えて成り得る。
【００３８】
幾つかの実施例において、前記走査体の仮想モデルが提供されると共に、前記一群の歯の前記第１の仮想モデルと仮想的に整列されることで、前記インプラントの配向及び位置が決定される。
【００３９】
幾つかの実施例において、前記修復物は、前記一群の歯の前記仮想モデルに基づいて設計される。
【００４０】
幾つかの実施例において、前記修復物は、事前製造されたアバットメントのような事前製造された修復物である。
【００４１】
幾つかの実施例において、前記一群の歯の前記改変済み仮想モデルは、前記一群の歯の物理的模型を製造するためのものである。
【００４２】
幾つかの実施例において、前記修復物の仮想モデルの少なくとも歯肉下部分は、解剖学的に正しい修復物の形状を有するように構成される。
【００４３】
修復物の挿入のために構成された前記仮想モデルの領域は、インプラント・アナログ、孔、治療用アバットメント、走査体、又は、基本的に任意の歯科的目印を備えて成るべく構成された歯肉状部分の領域を備えて成り得る。前記領域は、最も近い歯により部分的に境界付けられた円周を有する歯肉部表面の領域により境界付けられ得る。
【００４４】
幾つかの実施例において、当該方法は、開口を備えて成るべく前記歯肉部マスクを構成する段階を備えて成り、前記開口は、修復物が、前記歯肉部マスクの下方に配置された前記歯肉状部分にアクセスすることを可能にするように構成される。
【００４５】
幾つかの実施例において、前記一群の歯の仮想モデルの前記歯肉状部分には仮想的孔が配備される。
【００４６】
前記仮想的孔は、前記一群の歯の物理的模型における対応孔が、該一群の歯の物理的模型の歯肉状部分内へと嵌合すべく構成された前記修復物の部分と合致係合すべく構成されるようであり得る。前記仮想的孔は、前記一群の歯の物理的模型の前記対応孔内へとインプラント・アナログが手動的に挿入されることを可能にするように構成され得る。
【００４７】
前記仮想的孔及び／又は前記インプラント・アナログは、前記インプラント・アナログが正しい解剖学的な位置及び配向においてのみ前記模型の歯肉状部分内へと挿入され得るように構成され得る。
【００４８】
前記歯肉部マスクの前記開口は、該歯肉部マスクの下方において前記歯肉状部分内に配置されたインプラント・アナログと整列され得る。
【００４９】
幾つかの実施例において、前記インプラント・アナログは、Ｎを２５未満の整数として、Ｎ回対称性のような少ない断面回転対称性を備えた形状を有するように構成される。
【００５０】
前記インプラント・アナログは、その断面平面において、回転対称性を有さなくても良い。
【００５１】
幾つかの実施例において、前記孔に対し、前記一群の歯の物理的模型における対応排出用孔が流体接続されて、修復物又はインプラント・アナログが、前記排出用孔を介してアクセスされて、前記一群の歯の物理的模型の歯肉状部分から排出され得ることを実現すべく、前記一群の歯の仮想モデルの前記歯肉状部分は構成される。
【００５２】
幾つかの実施例において、前記インプラント・アナログは、その遠位端にて、更に小さな断面積を有する停止区画を備えて成るべく構成され、前記停止区画は好適には、前記インプラント・アナログの長手軸線の回りに中心的に配置される。
【００５３】
幾つかの実施例において、前記インプラント・アナログは、その遠位端にて停止表面を備えて成るべく構成され、前記停止表面は好適には、前記インプラント・アナログの長手軸線の回りに中心的に配置される。
【００５４】
幾つかの実施例において、前記停止表面は、前記インプラント・アナログの他の部分と比較してサイズ／直径が減少されることで、前記孔の側壁の丸み付き角隅部に対してスペースが提供されることが実現される。
【００５５】
前記一群の歯の仮想モデルの前記歯肉状部分に画成された前記仮想的孔は、前記一群の歯の物理的模型における対応孔が、その遠位端において、又は、該孔の長手方向に沿う任意の捩れ部（ｋｉｎｋ）において、丸み付き縁部を有することを実現すべく構成され得る。
【００５６】
幾つかの実施例において、前記インプラント・アナログには高さ点検溝が画成されることで、該インプラント・アナログが前記物理的模型の歯肉状部分内の正しい位置に配置されたか否かに関する視覚的又は接触的な点検が許容される。
【００５７】
前記高さ点検溝は、前記インプラント・アナログの全周の回りに延在することで、当該高さ点検溝と交錯する断面平面において全方向から視認され得るバンド形状の高さ点検溝を形成し得る。
【００５８】
前記歯肉状部分には、窓部又は貫通孔が配備されることで、前記模型の外部から前記インプラント・アナログに対する視覚的及び／又は物理的な接触が許容され得る。前記窓部又は貫通孔は、前記仮想モデルにおいて、又は、前記物理的模型の製造の後で、配備され得る。
【００５９】
本発明に関し、「下方に」という表現は、前記モデルの各部分の相対的な配向を記述するためにのみ使用され、どの部分が他の部分よりも地面に近いかに関する限定を呈するものではない。１つの部分が他の部分の下方であるとは、一群の歯の咬合平面に対する各部分の配置を記述すべく使用され得る。
【００６０】
「下方に」という表現は、患者の口腔の中央に対応する位置に載置された視点に対し、修復物の仮想モデルの歯肉下部分が歯肉状部分の表面の背後に配置されることを記述すべく使用され得る。すなわち、患者の口腔内で、一群の歯の歯肉部の表面の下方に配置された物体は、視認可能ではない。
【００６１】
本発明に関し、「基端」及び「遠位端」という表現は、例えば前記モデルの歯肉状部分における孔の２つの対置端部を指し得、その場合に遠位端とは、前記孔の入口から最も遠い該孔の部分を指し得る。前記遠位端はまた、骨側端部とも称され得る。
【００６２】
幾つかの実施例において、前記仮想モデルは、修復物の挿入のために構成された領域にて該仮想モデルに挿入されるべく構成された修復物を備えて成る。
【００６３】
幾つかの実施例において、前記修復物は、アバットメント、又は、該アバットメント上に配置されたクラウン、又は、インプラント・バー、又は、基本的に、歯科的修復物に関して使用された他の任意の目印のような修復物全体、又は、修復物の一部分を備えて成る。
【００６４】
幾つかの実施例において、修復物は、前記モデルの前記歯肉状部分に対して該修復物の解剖学的に正しい位置に配置されるものである。
【００６５】
幾つかの実施例において、前記歯肉状部分を構成すると、３次元表現から生成された仮想モデルの歯肉状部分の表面と、修復物の隣接表面とが重なり合う場合でさえも、前記修復物は、仮想モデルから製造された物理的模型内に位置決めされ得ることが実現される。
【００６６】
本発明に関し、「モデル／模型（ｍｏｄｅｌ）」という表現は、一群の歯の物理的及び仮想的な具現化の両方に関して使用され得る。幾つかの実施例においては、一群の歯の仮想モデルと物理的模型との間には一対一の関係が在る。
【００６７】
幾つかの実施例において、前記歯肉状部分を構成する段階は、前記３次元表現から生成された仮想モデルの歯肉状部分を改変する段階を備えて成る。
【００６８】
口腔内スキャナにより前記一群の歯を走査し、又は、前記一群の歯の印象を走査するなどにより、前記一群の歯を走査することで該一群の歯の仮想表現が提供される。
【００６９】
幾つかの実施例において、前記一群の歯の走査の間において、修復物の挿入のために構成された前記領域内には、治療用アバットメント、走査体、又は、インプラント・アナログのようなユニットが配置される。故に、前記一群の歯の生成された仮想モデルは、斯かるユニットを示し得る。前記方法は、このユニットを前記仮想モデルからデジタル的に取り外す段階を備えて成り得るか、又は、該方法は、斯かるユニットが仮想モデルの一部ではない一群の歯の仮想モデルを生成する段階を備えて成り得る。
【００７０】
幾つかの実施例において、前記歯肉状部分を構成する段階は、前記修復物における前記歯肉状部分の材料を、修復物が前記歯肉状部分を変形させ得るように、十分に柔軟に構成する段階を備えて成る。前記仮想モデルから製造された物理的模型において、前記材料は、歯科技工士のような操作者が過剰な力を使用する必要無しで前記修復物をその解剖学的に正しい位置に配置し得るように、十分に柔軟とされ得る。
【００７１】
幾つかの実施例において、前記歯肉状部分を構成又は改変する段階は、修復物の挿入のために構成された前記領域において前記歯肉状部分の一部分を仮想的に除去する段階を備えて成る。
【００７２】
前記モデルの前記歯肉状部分を構成する段階は、前記修復物の体積及び前記歯肉部の体積が重なり合わない様に、前記歯肉部の一部分をデジタル的に切り取る段階を備えて成る。
【００７３】
前記モデルからの材料の除去の後、前記仮想モデルから製造された物理的模型における歯肉状部分は、前記修復物の正しい位置決めが可能とされるように、前記修復物の隣接表面に追随すべく構成される。このことは、前記歯肉部を前記修復物に合わせて切断すること、すなわち、前記模型の歯肉状部分が修復物に適合することに対応し得る。この実施例においては、前記模型の歯肉状部分全体が比較的に硬質の材料により製造され得る、と言うのも、前記修復物が前記模型内に正しく位置されたときに、前記模型の歯肉状部分と前記修復物の夫々の体積間に重なり合い部が無いからである。
【００７４】
本発明に関し、「修復物の隣接表面に追随する」という表現は、前記修復物の歯肉下部分の少なくとも一部分が、前記歯肉状部分の隣接表面に対して実質的に平行な表面を有するように、前記修復物が前記歯肉状部分に関して配置される場合を指し得る。前記修復物の歯肉下部分及び前記歯肉状部分の間において、それらの共通領域の全体に亙り、実質的に一定のオフセットが在るように、前記修復物の歯肉下部分及び前記歯肉状部分の夫々の隣接表面は、前記領域の少なくとも一部分に亙り、実質的に一定の距離により離間され得る。前記隣接表面は、歯肉状部分における孔であって、修復物の挿入のために構成された孔の側壁の領域であると解釈され得る。前記側壁は、前記歯肉状部分内への前記修復物の挿入の方向に沿い配置された孔の表面であり得る。
【００７５】
幾つかの実施例において、前記方法は、修復物の挿入のために構成された前記領域において、前記仮想モデルの前記歯肉状部分に対して材料を仮想的に付加する段階を備えて成る。前記材料の仮想的付加は、修復物の挿入のために構成された前記領域における材料の仮想的除去の後に行われることがある。
【００７６】
幾つかの実施例において、前記一群の歯の仮想モデルの前記歯肉状部分は、修復物の挿入のために構成された領域における第１表面を画成する。
【００７７】
幾つかの実施例において、前記第１表面は、前記領域における歯肉部の前記エマージェンスプロファイルの少なくとも一区画に追随する。
【００７８】
幾つかの実施例において、前記一群の歯の仮想モデルを改変する段階は、前記第１表面を第２表面により置き換える段階を備えて成り、前記第２表面は、前記修復物の仮想モデルが、一群の歯の改変済み仮想モデルとの重なり合い部無しで仮想的インプラント領域内に仮想的に配置されるように形状化される。
【００７９】
幾つかの実施例において、前記第２表面の少なくとも一区画は、前記修復物の仮想モデルの前記表面の一部分をオフセットすることにより画成される。前記オフセットは、前記第２表面が前記修復物の仮想モデルの表面を囲繞するようであり得る。
【００８０】
幾つかの実施例において、当該方法は、前記修復物の仮想モデルを、又は、前記オフセット表面により囲繞された体積を、前記一群の歯の仮想モデルから減算する段階を備えて成る。そのときに前記第２表面は、体積が減算された前記歯肉状部分の仮想表面と同一であるか、それに基づき得る。
【００８１】
幾つかの実施例において、前記一群の歯の仮想モデルの前記歯肉状部分は、前記歯肉部の一部分の仮想的除去の後において、修復物の挿入のために構成された前記領域における前記第２表面を画成する。前記第２表面は、切断表面と称され得る。前記歯肉状部分を前記第２表面にて切断することは、前記歯肉状部分を前記修復物に合わせて切断することに対応し得る。
【００８２】
幾つかの実施例において、前記一群の歯の仮想モデルの前記歯肉状部分は、該歯肉部に対して材料を仮想的に付加した後で、修復物の挿入のために構成された領域において第３表面を画成する。
【００８３】
前記第３表面は、前記第１表面と実質的に同一であり得る。
【００８４】
前記第１、第２及び第３の表面は、前記一群の歯の仮想モデル上に配備される。仮想モデルにおいて、前記各表面は、該モデルの歯肉状部分の生成の結果として画成され得る。物理的模型において、前記各表面は、前記モデルの歯肉状部分の体積が製造されたときに実現され得る。
【００８５】
幾つかの実施例において、前記一群の歯の仮想モデルの前記歯肉状部分は、前記第２表面により第１及び第２の歯肉状領域へと分割され、前記第２歯肉状領域は前記第２表面と前記第３表面との間に配置され、前記第２表面は、前記第１歯肉状領域と前記第２歯肉状領域との間の境界部を形成する。
【００８６】
前記第１歯肉状領域は、前記仮想モデルから製造された物理的模型において第１材料で製造されるべく構成され得る。
【００８７】
幾つかの実施例において、前記方法は、前記一群の歯の仮想モデルの前記第１歯肉状領域に対応する物理的模型の部分が第１材料で製造されるように、前記一群の歯の物理的模型を製造する段階を備えて成る。
【００８８】
前記第２歯肉状領域は、前記仮想モデルから製造された物理的模型において第２材料で製造されるべく構成され得る。
【００８９】
幾つかの実施例において、前記方法は、前記一群の歯の仮想モデルの前記第２歯肉状領域に対応する物理的模型の部分が第２材料で製造されるように、前記一群の歯の物理的模型を製造する段階を備えて成る。
【００９０】
幾つかの実施例において、前記第２材料は、周囲条件にて前記第１材料よりも更に柔軟であるべく構成される。前記第２材料の押込硬さは、前記第１材料のそれよりも小さくされ得る。
【００９１】
前記第２材料は、前記仮想モデルから製造された前記物理的模型において着脱可能ユニット内に収容されるべく構成される。前記模型の前記歯肉状部分に対する材料の付加は、歯肉部マスクを生成する段階を備えて成り得る。
【００９２】
前記歯肉部マスクは比較的に硬質の材料で作製され得ると共に、該歯肉部マスクは、前記修復物を位置決めする前に前記歯肉部マスクを取り外すことにより前記歯肉状部分と前記修復物との間の重なり合い部が回避され得るように、前記修復物を前記模型内に配置する前に移動され得る。
【００９３】
前記歯肉部マスクは、当該第１及び第２の保持構造が合致係合したときに該歯肉部マスクが正しく配置されるように、前記模型の前記歯肉状部分上に配置された第２保持構造と合致係合すべく構成された第１保持構造を備えて成るべく構成され得る。
【００９４】
幾つかの実施例において、前記モデルの前記歯肉状部分は、当該アンダカット領域内に前記第２歯肉状領域が部分的に局限されるアンダカット領域を備えて成る。
【００９５】
幾つかの実施例において、前記修復物と、前記模型の歯肉状部分の夫々の隣接表面の間には、空隙が配備される。
【００９６】
幾つかの実施例において、前記方法は、前記模型の歯は比較的に更に硬質で撓曲性が低い材料で製造され、且つ、少なくとも、修復物の回りにおける前記模型の歯肉部は、比較的に更に柔軟で更に撓曲性が高い材料で製造されることを包含する。
【００９７】
前記模型の歯を比較的に更に硬質な材料で、且つ、該模型の歯肉状部分を比較的に更に柔軟な材料で製造することは有用であり得る、と言うのも、前記の異なる複数の材料は口腔における実際の物質を擬態すると共に、これにより、修復物の試験又はモデル化が促進されるからである。
【００９８】
前記第２材料は、前記修復物を製造すべく使用された材料よりも柔軟であるべく構成され得る。
【００９９】
前記物理的模型の材料は、歯の物理的模型に対して使用されることが多い石膏、又は、物理的模型の３Ｄ印刷に対して使用される比較的に更に硬質の材料とされ得る。前記第２材料は、更に柔軟であり且つ更に圧縮可能な歯科用シリコーンであり得る。
【０１００】
一群の歯の物理的模型と協働して所定体積を囲繞するカバーであり、前記体積を第２歯肉部分用材料で満たすときに使用されるカバーであって、
インプラント用係合部分と、
模型対向表面と貫通チャネルとを備えて成る頂部とを備えて成り、
前記模型対向表面の１つの部分は、前記一群の歯の物理的模型に接触すべく構成され、且つ、第２部分は、前記物理的模型の表面と協働して前記体積を囲繞すべく構成され、且つ、
前記貫通チャネルは前記囲繞された体積に対する液体接続を提供する、カバーが開示される。
【０１０１】
幾つかの実施例において、前記方法は、前記第１歯肉状領域と協働して前記第２歯肉状領域を囲繞すべく構成されたカバーを配備する段階を備えて成る。
【０１０２】
前記カバーは、前記歯の仮想モデルから製造された物理的模型における前記第２歯肉状領域内への前記第２材料の注入を可能にするように構成された開口を備えて成り得る。
【０１０３】
前記カバーは、前記第２歯肉状領域に臨む表面であって、前記第３表面として形状化され得る表面を有するように構成され得る。
【０１０４】
前記カバーが前記物理的模型に関して配置されたとき、操作者が合理的な労力を以て、十分に柔軟で圧縮可能な材料内へと修復物を押圧することにより当該第２歯肉状領域を変形させ得るように、前記カバーと前記物理的模型との間に囲繞された体積が前記材料で満たされたときに、前記模型対向表面は前記第２歯肉状領域の表面を画成する。前記カバーは、前記第３表面を画成する。
【０１０５】
幾つかの実施例において、前記カバーのインプラント用係合部分は、物理的模型内のインプラント・アナログに従い寸法設定される。
【０１０６】
幾つかの実施例において、特定のアバットメントに対し、前記カバーの模型対向表面は、生成された第３表面が前記アバットメントの対応表面に従い形状化されるようである様に、前記模型対向表面は前記アバットメントに対して関連付けられる。
【０１０７】
幾つかの実施例において、前記方法は、前記模型が特定の製造プロセスにより製造されるべく該模型を設計して構成する段階を備えて成る。
【０１０８】
本発明に関し、「断面」という表現は、長手方向に対して直交する平面を指し得る。例えば、インプラント・アナログ要素の断面形状は、基部と交錯する斯かる平面内におけるインプラント・アナログの形状であり得る。
【０１０９】
幾つかの実施例において、前記模型は２つ以上の修復物を備えて成る。本発明に係る方法は明らかに、一群の歯において、２つ、３つ、４つ、又は、それより多い修復物のような任意数の修復物に対して適用され得る。
【０１１０】
幾つかの実施例において、前記方法は、一群の歯の仮想表現を獲得する段階と、該仮想表現から前記一群の歯の仮想モデルを形成する段階を備えて成る。
【０１１１】
幾つかの実施例において、口腔内スキャナにより前記一群の歯を走査し、又は、前記一群の歯の印象を走査することにより、該一群の歯の仮想表現が提供される。前記一群の歯の仮想表現は、点群を備えて成り得る。
【０１１２】
故に、前記仮想モデル、及び、後時における物理的模型は、例えば、印象から模型を鋳造することにより模型を作成する代わりに、例えば印象の走査に基づいて作成され得る。この実施例の利点は、更に望ましい精度が得られることである、と言うのも、鋳造され又は注型された模型であって、該模型を作成するときには欠陥が出現する模型を走査する代わりに、印象自体が走査されるからである。更に、印象から石膏で模型を作成する手動的な時間が掛かる作業が回避される、ということは利点であり得る。故に、この実施例は、更に簡素であると共に、可能的には更に迅速で更に安価なプロセスを提供する。
【０１１３】
前記印象から物理的模型を製造する理由は、歯科技工士は、単一又は複数の歯科的修復物を患者に対して適合化させるときに、協働すべき物理的模型を保有することを好み得るからである。
【０１１４】
その場合、前記印象は走査されて、顎部の下側部分及び上側部分の両方の表現を生成し得る。これにより、前記仮想モデルは、前記印象の走査に基づいてソフトウェアにおいて自動的に生成される。
【０１１５】
幾つかの実施例において、前記方法は、ユーザが、例えば、物理的模型からインプラント・アナログを取り出すことが更に容易となるように、歯肉部に対応する前記モデルの更なる部分を除去する段階を備えて成る。
【０１１６】
幾つかの実施例において、前記方法は、対合歯が視覚化される様に一群の歯の全体の走査を適用する段階と、一群の歯の全体の咬合が試験され得る様に仮想的咬合器を提供する段階とを備えて成る。
【０１１７】
幾つかの実施例において、前記方法は、３次元印刷又はフライス加工により前記物理的模型を製造する段階を備えて成る。
【０１１８】
３Ｄ印刷又はフライス加工の例は、
物理的模型の外側部分を高品質及び／又は高価な材料で製造し得ると共に、内側部分は、例えばワックスのような更に安価な材料で製造され得る、インクジェットのような原理；
標準的な３Ｄ印刷；
標準的な３Ｄフライス加工；
一種のラピッド・プロトタイピング・プロセスであるステレオ・リソグラフィ（ＳＬＡ）；
一種のラピッド・プロトタイピング・プロセスである選択的レーザ焼結（ＳＬＳ）；
である。
【０１１９】
幾つかの実施例において、前記方法は、前記模型が特定の製造プロセスにより製造されるべく該模型を設計かつ適合化する段階を備えて成る。
【０１２０】
例えば、前記物理的模型の製造に対し、異なる複数の材料が選択され得る。
【０１２１】
幾つかの実施例において、前記修復物は、又は、修復物がその一部であるユニットは、前記修復物が、物理的模型内において、患者の口腔内の実際の解剖学的な歯の位置に対応して位置決めされるように、製造される。
【０１２２】
幾つかの実施例において、前記修復物の正しい解剖学的位置は、模型内に載置されたときに該修復物が回転され得ないことを確実とすることで制御され得る水平位置に関し、前記模型に対する高さに関している。
【０１２３】
前記修復物が、前記模型の歯肉状部分に対して解剖学的に正しい高さを有すべく配置されたとき、該修復物の頂部は、歯の模型の水平面に対して正しく配置され得る。
【０１２４】
前記一群の歯の物理的模型は歯科技工士により、ワックス調節体として知られ得る修復物の模型を構築するために使用され得る。前記修復物の模型、すなわち、ワックス調節体は次に、例えばポーセレン製のベニアを備える金属製クラウンのような金属製材料で作成された実際の修復物を鋳造すべく使用され得る。
【０１２５】
前記物理的模型は、製造された修復物が、物理的模型における物理的修復物として実際に適するか否かをチェックすべく使用され得る。
【０１２６】
前記修復物がＣＡＤ／ＣＡＭにより作製されたとしても、作製された修復物を物理的模型上でチェックすることにより、該修復物が正しい適合性を有することをチェックすることは依然として有用である。前記製造プロセスには幾つかの段階が在ることから、各段階の１つにおいては可能的に手違いが生じ得、そのときには、歯科技工士が、修復物が歯科医へと送られて患者の口腔内に挿入される前に、障害を発見して修正することが更に望ましい。
【０１２７】
もし、前記修復物が、例えば、ジルコニアとしても知られる二酸化ジルコニウムなどの形状又はサイズが変化し得る材料で作製されるなら、作製の後で修復物をチェックすることも利点である、と言うのも、前記材料はそのときに、加熱プロセスの間に及び／又はその後に、収縮し、又は、屈曲し得るからである。
【０１２８】
もし前記修復物が手動的に作製されるなら、且つ／又は、修復物に対するポーセレン作業が手動的に実施されたとき、歯科技工士は、修復物に対する隣接歯間に十分なスペースが在ることと、ポーセレンの形状が隣接歯に合致することとをチェックするために、一群の歯における他の歯の模型を必要とする。
【０１２９】
もし前記模型が３Ｄ印刷により製造されるなら、例えば、フライス加工による製造と比較して、多数の模型が同時に製造され得る。
【０１３０】
幾つかの実施例において、前記方法は、前記一群の歯の物理的模型を製造する前に、前記歯肉状部分をデジタル的に再位置決めするなど、前記モデルの歯肉状部分を修復物の回りにデジタル的に再位置決めする段階を備えて成る。
【０１３１】
この再位置決めは利点であり得る、と言うのも、患者の口腔内で１本の歯が調製されるとき、その歯の大部分が研削除去されることは多くの場合に問題であることから、調製された歯の回りにおける柔軟で弾性的な歯肉組織は、非調製歯に追随する元の形状に留まる代わりに、前記調製された歯の新たな減少形状に隣接若しくは追随し、又は、該形状まで収縮するからである。故に、例えば、前記調製された歯の印象が作成されたとき、歯肉は該調製された歯に隣接し且つその歯の製造された模型は修復物に隣接する歯肉部を有することから、歯肉と前記修復物との間に、修復物をモデル化して載置するためのスペースが無いこともある。但し、前記修復物の回りにおいて前記モデルの歯肉状部分を再位置決めし、除去し、又は、位置変更したときには、前記修復物と、歯科医が該修復物を患者の口腔内に挿入した後に付加し得る例えばポーセレンなどのベニアとに対するスペースが在る。
【０１３２】
幾つかの実施例において、前記モデルの前記歯肉状部分をデジタル的に再位置決めする段階は、前記修復物から前記モデルの歯肉状部分をデジタル的に離間移動させる段階を備えて成る。
【０１３３】
前記モデルの前記歯肉状部分をデジタル的に再位置決めする段階は、前記修復物に隣接する歯肉部を移動させる段階を備えて成り得る。
【０１３４】
幾つかの実施例において、前記モデルの前記歯肉状部分をデジタル的に再位置決めする段階は、前記モデルの前記歯肉状部分を前記修復物に対してデジタル的に外方に移動させる段階を備えて成る。
【０１３５】
前記モデルの歯肉状部分が歯肉部のサイズを変更せずに移動され得ることは利点であり得、このことは重要である、と言うのも、患者の口腔内の歯肉も形状を変化させるのみであるがサイズは変化させず、すなわち、歯肉は更に大寸又は小寸にはならず、形状を変化させるのみだからである。
【０１３６】
前記修復物のモデルがＣＡＤを用いて設計されるなら、モデル化された修復物に適合するために、歯の模型上の歯肉部がどれほど移動されるべきかがＣＡＤプログラムから導出され得ることは利点であり得る。
【０１３７】
前記方法は、３次元印刷又はフライス加工により前記物理的模型を製造する段階を備えて成る。
【０１３８】
幾つかの実施例において、前記物理的模型は、一群の歯の該物理的模型の一部分として、少なくとも部分的に柔軟な型成形物を鋳造するための鋳造成形型を用いて製造され得る。
【０１３９】
前記鋳造成形型は、３Ｄ印刷のようなラピッド・プロトタイピング法により製造されるべく適合化され得る。
【０１４０】
前記仮想モデルの少なくとも一部分の印象として鋳造成形型用ＣＡＤモデルが生成され、該鋳造成形型用ＣＡＤモデルはこれにより、前記一群の歯の陰画的な幾何学形状を備えて成り得る。
【０１４１】
本発明に係る前記方法により生成して改変された一群の歯の仮想モデルから、物理的模型が製造され得る。
【０１４２】
幾つかの実施例において、前記方法は、前記模型が、該物理的模型における修復物が当該側部排出用孔を介して接触され且つ該模型のキャビティから排出され得る側部排出用孔を備えて成ることを実現する段階を備えて成る。
【０１４３】
前記孔は、前記模型の歯肉状部分に配置され得る。
【０１４４】
前記模型の側部に排出用孔を配備するときに、この孔が側部からアクセス可能であることは利点であり得、このことは、例えば、前記模型を咬合器上に組み付けるときに利点であり得、その場合、模型の側部は、咬合器に対して取付けられた該模型の底部とは対照的に、アクセスされ得る。故に、前記排出用孔を、模型の底部の代わりに、該模型の側部に配置することは利点であり得る。但し、前記模型の底部には、例えば排出用孔などの孔が、代替的及び／又は付加的に配置されても良い。
【０１４５】
幾つかの実施例において前記方法は、前記修復物は、該修復物が前記模型のキャビティ内に配置されたときに前記模型における前記側部排出用孔と連続して配置されるべく適合化された孔を備えて成ることを実現する段階を備えて成る。
【０１４６】
前記模型の側部に孔を且つ前記修復物に孔を配備するとき、前記２つの孔が整列され、すなわち、相互に連続して、又は、端部同士を接して配置されたときに、前記修復物が前記模型に対して正しく配置されることは利点であり得る。
【０１４７】
前記修復物における孔及び前記模型における孔が整列されたか否かは、目視検査により、又は、各孔内に嵌合すべく適合化された工具によりチェックされ得る。故に、前記工具が前記模型における孔を通して修復物における孔内へと問題なく移動し得る場合、前記模型における前記修復物の整列は正しい。幾つかの実施例において、前記側部排出用孔は、前記工具が模型及び修復物の両方を全て貫通して移動し得るように配置されることから、前記工具は、前記模型の片側にて挿入され、且つ、該模型を貫通して該模型の他側に至り得る。故に、幾つかの実施例において、前記側部排出用孔は、前記工具が、前記模型の区画であって、前記修復物と、該修復物が配置されるキャビティを囲繞する該模型の歯肉状部分との両方を備えて成る区画を貫通し得るように配置されることから、前記工具は、前記区画の片側にて挿入され得ると共に、前記区画を貫通して、前記修復物の向こう側に配置された前記区画の側部に至り得る。
【０１４８】
幾つかの実施例において、前記方法は、前記模型における前記孔を、前記模型の表面から、修復物に対するキャビティまで通過する貫通孔として配置する段階、及び、前記孔を前記修復物内において盲孔として配置する段階を備えて成る。
【０１４９】
前記貫通孔は、前記模型の歯肉状部分から通過し得る。前記修復物における前記孔は、該修復物の基部に対応する位置における盲孔として配置され得る。
【０１５０】
幾つかの実施例において、前記方法は、前記模型における前記孔を、前記模型の表面から、修復物に対するキャビティまで通過する貫通孔として配置する段階、及び、前記孔を前記修復物内において貫通孔として配置する段階を備えて成る。
【０１５１】
前記貫通孔は、前記模型の歯肉状部分から通過し得る。前記修復物における前記孔は、該修復物の基部に対応する位置における貫通孔として配置され得る。
【０１５２】
故に、前記修復物における前記孔は、該修復物全体を貫通通過して前記キャビティの他側に至る貫通孔であり得る。この場合、前記模型における前記孔は該模型全体を貫通通過し得、すなわち、該模型の表面から、該模型の内側の前記キャビティの一端へと通過し、且つ、前記キャビティの他端から該模型を貫通して該模型の他方の表面に至り得る。
【０１５３】
前記模型及び前記修復物の両方における貫通孔である側部排出用孔を配備することは利点であり得る、と言うのも、その場合には模型内の修復物の位置決めが、模型及び修復物の全体を貫通する自由通路が在るときに促進され得る目視検査によりチェックされ得るからである。
【０１５４】
更に、前記模型及び修復物を製造する上で、前記側部排出用孔を貫通孔として作製することは利点であり得る。例えば、前記模型及び修復物はジェット印刷により製造され得ると共に、例えば、前記模型及び修復物において、最終形態において材料が存在すべきでない場所には、柔軟な支持材料が配置され得る。前記模型又は修復物の製造が完了したとき、前記支持材料は、例えば、洗浄除去、溶融除去又は掘削除去されるなどして除去される。この場合、もし前記孔が、盲孔の代わりに貫通孔であれば、該孔から支持材料の全てを除去することが更に容易であり得る。
【０１５５】
幾つかの実施例において、前記方法は、前記修復物が、前記モデルにおける隣接歯と衝突せずに、又は、該隣接歯により阻止されずに、前記モデルの歯肉状部分内に挿入され且つそれから取り外されるべく適合化されるように、前記修復物を前記モデルの歯肉状部分内に配置する段階を備えて成る。
【０１５６】
幾つかの実施例において、前記方法は、前記修復物の挿入方向が、一群の歯における実際の解剖学的な歯の挿入方向に対応するように、前記修復物を前記モデル内に配置する段階を備えて成る。
【０１５７】
幾つかの実施例において、前記方法は、前記修復物が、前記モデルにおける隣接歯と衝突せずに、又は、該隣接歯により阻止されずに、前記モデルの歯肉状部分内に挿入され且つそれから取り外されるべく適合化される様に、前記修復物の挿入方向が傾斜するように、前記修復物を前記モデルの歯肉状部分内に配置する段階を備えて成る。
【０１５８】
幾つかの実施例において、前記方法は、前記修復物に対する挿入経路を決定する段階を備えて成る。前記挿入経路は、前記インプラントにおける挿入方向に従い得る。
【０１５９】
幾つかの実施例において、前記方法は、前記修復物に対する周縁ラインを特定する段階を備えて成る。前記周縁ラインは、前記修復物の仮想モデルが前記挿入方向又は挿入経路に沿い視認されたときにおける該修復物の外周として定義され得る。前記修復物の仮想モデルからオフセット表面を定義したとき、前記周縁ラインは、前記オフセット表面が前記挿入方向に沿い視認されたときにおける該オフセット表面の外周として定義され得る。
【０１６０】
幾つかの実施例においては、前記挿入方向及び前記周縁ラインにより挺出体積（ｅｘｔｒｕｓｉｏｎ  ｖｏｌｕｍｅ）が定義される。前記挺出体積は、前記修復物が、前記一群の歯の仮想モデルの歯肉状部分内へと挿入されつつあるとき、又は、それから取り外されるときに、踏破する体積を定義する。
【０１６１】
前記挺出体積の配向は、前記挿入方向とは僅かに異なる方向を有し得る。このことは、当該挺出体積の幾つかの区画において、歯肉状部分において決定された挿入方向とは異なる周縁ライン及び挿入経路により挺出体積が定義されるときに、これらの区画に亙り当てはまり得る。
【０１６２】
幾つかの実施例において、前記方法は、例えば前記模型の歯肉状部分内に位置されるべく構成されたインプラント・アナログが、該インプラント・アナログの正しい解剖学的高さに対応するよりも前記模型の歯肉状部分内へと更に押し進められることが阻止されるように、前記インプラント・アナログは、それが前記歯肉状部分内に位置されたときに該インプラント・アナログに対する停止部として機能する停止表面を備えて成ることを実現する。
【０１６３】
幾つかの実施例において、前記停止表面は、平面的であり且つ水平である。
【０１６４】
前記停止表面は、前記模型の残部に対し、且つ／又は、前記歯肉状部分などにおける前記インプラント・アナログの挿入方向に対し、平面的であり且つ水平であり得る。
【０１６５】
前記停止表面が平面的であり且つ水平であることは利点であり得る、と言うのも、これにより、前記模型内における前記インプラント・アナログの最適な位置決め及び支持が提供され得るからである。
【０１６６】
本発明に関し、前記「水平」という表現は、患者の歯列の咬合平面に対して実質的に平行な平面を指し得る。
【０１６７】
幾つかの実施例において、前記方法は、前記模型が３Ｄ印刷されるときに、前記停止表面の少なくとも一部分は、前記模型の残部に関して水平であることを包含する。
【０１６８】
故に、前記停止表面の全体的な形態は、勾配があり、傾き、又は、傾斜され得るが、各々の単一印刷層は、勾配表面が数個の小さな水平部分から構成される様に水平とされるべきである。これにより、非常に良好な設定装着性が提供される。
【０１６９】
もし前記模型が３Ｄ印刷の代わりにフライス加工されるなら、前記停止表面は水平でなくても良く、任意の方向とされ得る。
【０１７０】
幾つかの実施例において、前記方法は、前記停止表面は、前記模型の残部中にも存在する印刷層内に配置されることを包含する。
【０１７１】
それは有用であり得る、と言うのも、そのときに前記停止表面はインプラント・アナログの底部部分と同一高さに在ることから、前記インプラント・アナログは前記模型における正しい層まで厳密に押し下げられ得るので、前記模型内における前記インプラント・アナログの位置は、該物理的模型における該インプラント・アナログの高さに関して解剖学的に正しいからである。
【０１７２】
故に、停止層は、ｈ＝ｎ×（印刷層の厚み）である、高さｈに在る。
【０１７３】
幾つかの実施例において、前記方法は、前記模型における一本以上の近傍歯が、該模型に着脱自在に挿入され得ることを実現する段階を備えて成る。
【０１７４】
利点は、近傍の又は隣接する歯が前記模型から取り外され得る場合、歯科技工士は、修復物の模型を構築することが更に容易と成り得ることである、と言うのも、そのときには、これらの歯の回りにおいて、例えば、側方の全て又は幾つかにおいて自由空間が在るからである。
【０１７５】
前記物理的模型は、一群の歯の該物理的模型の一部分として、少なくとも部分的に柔軟な型成形物を鋳造するための鋳造成形型を用いて製造され得、その場合、前記鋳造成形型は、３Ｄ印刷のようなラピッド・プロトタイピング法により製造されるべく適合化される。前記仮想モデルの少なくとも一部分の印象として鋳造成形型用ＣＡＤモデルが生成され、該鋳造成形型用ＣＡＤモデルはこれにより、前記一群の歯の陰画的な幾何学形状を備えて成る。前記鋳造成形型用ＣＡＤモデルの少なくとも１つの区画は、少なくとも１つの分離平面及び／又は分離スプラインにより定義され得る。
【０１７６】
また、当該プログラム・コード手段がデータ処理システムにより実行されたときに、該データ処理システムにより、前記方法を実施させるプログラム・コード手段を備えて成る、コンピュータ・プログラム製品、及び、前記プログラム・コード手段が記憶されたコンピュータ可読媒体を備えて成る、コンピュータ・プログラム製品も開示される。
【０１７７】
別の見地に依れば、一群の歯の物理的模型内に配置された修復物を排出するための排出用工具も開示される。
【０１７８】
幾つかの実施例において、前記排出用工具は、前記模型の前記歯肉状部分における貫通孔に嵌合すべく適合化された長寸構成要素を備えて成る。
【０１７９】
幾つかの実施例において、前記排出用工具は、前記修復物における盲孔及び／又は貫通孔に嵌合すべく適合化される。
【０１８０】
本発明は、上述された方法と、以下においては、対応する方法、デバイス、システム、用法、及び／又は、製造手段とを含む、複数の異なる見地に関し、それらの各々は、最初に言及された見地に関して記述される利点及び長所の１つ以上をもたらすと共に、各々は、最初に言及された見地、及び／又は、添付の各請求項に開示された見地に関して記述される実施例に対応する１つ以上の実施例を有している。
【０１８１】
本発明の前記の及び／又は付加的な目的、特徴及び利点は、以下において添付図面を参照した本発明の実施例の例示的で非限定的である詳細な説明により更に明らかとされよう。
【図面の簡単な説明】
【０１８２】
【図１】修復物の仮想モデルと、一群の歯の仮想モデルの歯肉状部分との夫々の体積の不一致状態を示す概略図である。
【図２ａ】本発明に係る方法の実施例を示す図である。
【図２ｂ】本発明に係る方法の実施例を示す図である。
【図２ｃ】本発明に係る方法の実施例を示す図である。
【図２ｄ】本発明に係る方法の実施例を示す図である。
【図３ａ】本発明に係る方法の実施例を示す図である。
【図３ｂ】本発明に係る方法の実施例を示す図である。
【図３ｃ】本発明に係る方法の実施例を示す図である。
【図３ｄ】本発明に係る方法の実施例を示す図である。
【図４ａ】モデルの歯肉状部分を修復物の回りにデジタル的に再位置決めする例を示す図である。
【図４ｂ】モデルの歯肉状部分を修復物の回りにデジタル的に再位置決めする例を示す図である。
【図５ａ】挺出体積と、一群の歯の仮想モデルの歯の部分との間の衝突が回避される本発明に係る方法の実施例を示す図である。
【図５ｂ】挺出体積と、一群の歯の仮想モデルの歯の部分との間の衝突が回避される本発明に係る方法の実施例を示す図である。
【図６】一群の歯の仮想モデルが如何にして生成かつ改変され得るかを示す図である。
【図７ａ】比較的に柔軟で圧縮可能な材料で作成された第２歯肉状領域を実現するときに、前記歯の物理的模型に関して配置されたカバーが如何にして使用され得るかを示す図である。
【図７ｂ】比較的に柔軟で圧縮可能な材料で作成された第２歯肉状領域を実現するときに、前記歯の物理的模型に関して配置されたカバーが如何にして使用され得るかを示す図である。
【図７ｃ】比較的に柔軟で圧縮可能な材料で作成された第２歯肉状領域を実現するときに、前記歯の物理的模型に関して配置されたカバーが如何にして使用され得るかを示す図である。
【図８ａ】本発明に係る発明的なカバーの概略的表現を示す図である。
【図８ｂ】本発明に係る発明的なカバーの概略的表現を示す図である。
【図９】発明的なインプラント・アナログを示す図である。
【図１０】本発明の実施形態からの画面描写を示す図である。
【図１１ａ】本発明の実施形態からの画面描写を示す図である。
【図１１ｂ】本発明の実施形態からの画面描写を示す図である。
【発明を実施するための形態】
【０１８３】
以下の説明においては、本発明が如何に実施され得るかを例示する添付図面が参照される。
【０１８４】
図１、図２、図３、図５及び図７においては、歯科的修復物の代表例として、歯科的インプラントに対するアバットメントが使用される。前記修復物はまた、クラウン、ブリッジ、取外し可能な義歯、又は、義歯のような他の部材から成り、又は、他の部材を備えて成り得ることは明らかである。
【０１８５】
図１は、修復物の仮想モデルと、一群の歯の仮想モデルの歯肉状部分との夫々の体積の不一致状態の概略を示している。
【０１８６】
図示されたアバットメントのような歯科的インプラント及び対応する歯科的修復物に関する処置において、歯科技工士は、一群の歯の物理的模型を、該物理的模型の歯肉状部分内に位置決めされたインプラント・アナログと共に作製することが多い。幾つかの場合、前記修復物が一群の歯の物理的模型内に挿入され得ない様に、すなわち、歯科的修復物が、一群の歯の物理的模型において解剖学的に正しい位置に位置決めされ得ない様に、前記修復物が、一群の歯の物理的模型の歯肉状部分と衝突する。
【０１８７】
この状況の仮想表現は図１に示され、この場合、一群の歯の仮想モデル１０は、２本の歯１１、１２と、製造された物理的模型においてはインプラント・アナログにより置き換えられるインプラント１３とを示し、該モデルの第１表面１５は、少なくとも部分的に歯肉のエマージェンスプロファイルに関連している。修復物１４の仮想モデルは、その解剖学的に正しい位置において、一群の歯の仮想モデル１０内へと挿入される。該図において見られるように、修復物１４の仮想モデルの体積と、一群の歯の仮想モデル１０の歯肉状部分の体積との間には、重なり合い部１６が在る。修復物と、一群の歯の物理的模型とに対し、仮想的重なり合い部１６により表される不一致状態によれば、前記修復物の挿入が妨げられる。
【０１８８】
一群の歯の仮想モデル１０は、例えば、一群の歯の印象を走査することにより、又は、ＴＲＩＯＳ（登録商標）口腔内スキャナのような携帯式スキャナを用いた直接的な口腔内走査により提供された、一群の歯の１つ以上の３次元表現から生成され得る。
【０１８９】
前記走査は、例えば、例えば三角測量により一群の歯の仮想モデルへと変換され得る点群の形態で３次元表現を提供し得る。
【０１９０】
図２は、本発明に係る方法の実施例を示しており、この場合、一群の歯の改変済み仮想モデルから製造された物理的模型に、更に柔軟な材料に対するスペースが提供されるように、一群の歯の仮想モデル１０は、歯肉状部分の一部分を仮想的に除去することにより改変される。
【０１９１】
図２ａにおいて、一群の歯の仮想モデル１０は、２本の歯１１、１２、及び、インプラント・アナログ１３を示している。修復物１４の仮想モデルは、それが解剖学的に正しい位置に配置されるように、仮想的に挿入される。図１に関して上述されたように、重なり合い部１６は、一群の歯の仮想モデル１０に対応する物理的模型内における前記修復物の挿入を妨げる。
【０１９２】
改変されるべき区画の境界は、第１の３Ｄスプライン１５１及び第２の３Ｄスプライン１５２を用いて特定され得る。各３Ｄスプラインは、例えば、コンピュータ・マウスのようなポインティング・ツール、及び、当該コンピュータ画面上に一群の歯の仮想モデル１０が視覚化されるコンピュータ画面を用いて、操作者により手動的に定義され得る。前記境界はまた、例えば、アバットメントの準備ラインを決定すべく構成されたコンピュータ実行型アルゴリズムを用いて自動的にも導出され得る。
【０１９３】
図２ｂにおいては、前記区画が今や、当該第２表面１７が、図２ａに見られる重なり合い部１６が回避されるようにある第２表面１７に従い形状化されるように、一群の歯の仮想モデル１０の歯肉状部分が改変されている。このことは、一群の歯の仮想モデル１０の歯肉状部分が、第１表面１５に従う形状の保有から、一群の歯の改変済み仮想モデル１００における第２表面１７に従う形状の保有へと変化するように、前記歯肉状部分の一部分を仮想的に除去することに対応する。
【０１９４】
前記図において、第２表面１７は、前記第１の３Ｄスプラインから第２の３Ｄスプラインへと、円滑な遷移部を有している。前記仮想的に除去される部分はまた、当該円柱の断面は第１の３Ｄスプライン１５１に従い形状化される円柱を、第２の３Ｄスプライン１５２により占有される水平面まで延長することによっても定義され得る。
【０１９５】
一群の歯の改変済み仮想モデル１００に基づき、例えば、改変済み仮想モデル１００上に第３及び第４の３Ｄスプラインを定義することにより、第３表面１８がデジタル的に決定され得る。そのとき、第３及び第４の３Ｄスプラインは接続されて、第３表面１８を画成する。前記３Ｄの第３及び第４スプラインは、第２歯肉状領域１９に対するスペースを作るために仮想的に除去される前記部分の境界を特定するために使用される第１及び第２の３Ｄスプライン１５１、１５２と同一ともされ得る。すなわち、図２ｃに示されたように、領域１９は第２表面１７及び第３表面１８により定義される。一群の歯の改変済み仮想モデル１００から製造された物理的模型１０１において、第２歯肉状領域１９内には、比較的に柔軟で圧縮可能な材料が配備され得る。前記更に柔軟な材料部分は、３Ｄ印刷により製造されてから、一群の歯の物理的模型１０１に配置され得る。
【０１９６】
図２ｄは、第２歯肉状領域１９０内の柔軟な圧縮可能材料と共に、一群の歯の物理的模型１０１内へと挿入されたアバットメント１４０を示している。
【０１９７】
第２歯肉状領域１９が第３表面１８に従い形状化されたとき、歯科的修復物の仮想モデルの体積と、（今や第３表面１８に従う表面を有する）一群の歯の改変済み仮想モデル１００の歯肉状部分の体積との間には、依然として重なり合い部が在る。しかし、第２材料が十分に柔軟で圧縮可能である場合、物理的修復物１４０が一群の歯の物理的模型１００内に挿入されたときに第２歯肉状領域１９０は変形されることから、図２ｄに示されたように、前記物理的修復物がその解剖学的に正しい位置に配置されることが許容される。
【０１９８】
図３は本発明に係る方法の実施例を示しており、一群の歯の仮想モデル１０は、歯肉状部分の一部分を仮想的に除去することにより改変される。
【０１９９】
図３ａにおいて、一群の歯の仮想モデル１０は、２本の歯１１、１２、及び、インプラント／インプラント・アナログ１３を示している。修復物１４の仮想モデルは、その解剖学的に正しい位置に仮想的に挿入される。図１に関して上述されたように、仮想的重なり合い部１６は、一群の歯の仮想モデル１０に対応する物理的模型内へと修復物が挿入されることを妨げる。
【０２００】
図３ｂにおいては、前記修復物の挿入のために構成された領域における歯肉の部分が、該領域における歯肉が今や第２表面１７を画成するように、仮想的に除去されている。図３ａにおいて視認される仮想的重なり合い部１６は、今や回避されると共に、修復物１４の仮想モデルに対しては、その解剖学的に正しい位置にてスペースが在る。第２表面１７は、同図に見られるような均一なオフセットを提供することなどにより、修復物１４の仮想モデルの表面をオフセットすることにより画成され得る。
【０２０１】
但し、第２表面１７のアンダカット形状の故に、図３ｂに示された一群の歯の仮想モデル１０から製造された物理的模型内へと、前記修復物を挿入し得ないこともある。
【０２０２】
図３ｃ及び図３ｄにおいては、前記修復物に対する挿入方向２０が考慮される。該挿入方向は、一群の歯の仮想モデル１０におけるインプラント／インプラント・アナログ１３の配向及び位置に基づき得る。挿入方向２０に沿い第２表面１７が視認されたときに、その外周にては、周縁ライン２１が定義される。該周縁ライン２１は、コンピュータ実行型アルゴリズムを用いて決定され得る。
【０２０３】
その場合、インプラント・アナログ１３から離間すべく挿入経路２０に沿い周縁ライン２１を平行移動させることで生成される表面により、挺出体積を囲繞する円柱が画成され得る。前記挺出体積が一群の歯の仮想モデル１０から減算されたとき、修正済み第２表面１７１が提供される。前記の修正の故に、前記周縁ラインの上方にて、修正済み第２表面１７１は第２表面１７とは異なる。
【０２０４】
一群の歯の改変済み仮想モデル１００から製造された物理的模型において、前記挿入方向に関する修正によれば、この物理的模型内へと修復物が挿入され得るように、該修復物の挿入方向に沿い視認されたときに前記物理的模型にはアンダカットが無い、ということが実現される。
【０２０５】
図４は、修復物の周りに歯肉部をデジタル的に再位置決めする例を示している。
【０２０６】
図４ａ）は、歯肉部４２５の一部分がデジタル的に再位置決めされる前における一群の歯の仮想モデル４０１を示している。
【０２０７】
図４ｂ）は、歯肉部４２５の一部分がデジタル的に再位置決めされた後における一群の歯の仮想モデル４０１を示している。一群の歯の仮想モデル４０１は、歯肉状部分４２５が移動された後で、製造され得る。
【０２０８】
患者の口内において一本の歯が調製されるとき、調製される歯の回りにおける柔軟で弾性的な歯肉組織が、調製されていない元の歯に追随する元の形状に留まる代わりに、調製済みの歯の新たな減少形状に追随すべく付随又は追随又は倒壊するほど大量に、その歯が研削除去されることがある。一群の歯の仮想モデル４０１の歯肉状部分４２５を、デジタル的に再位置決めし、除去し、又は、位置変更するとき、修復物４２６とベニアとに対するスペースが在る。
【０２０９】
一群の歯の仮想モデル４０１の歯肉状部分４２５は、修復物４０５に対して外方に、すなわち、該修復物から離間して移動されると共に、それは歯肉状部分４２５自体のサイズを変更せずに移動され、且つ、該歯肉状部分４２５の形状のみが変更される。
【０２１０】
もし修復物４２６の仮想モデルがＣＡＤを用いて設計されるなら、ＣＡＤプログラムからは、モデル化された修復物４２６の仮想モデルに適合するために、一群の歯の仮想モデル４０１上で歯肉状部分４２５がどれほど移動されるべきかが導かれ得る。
【０２１１】
図５は、挺出体積と、一群の歯の仮想モデルの歯の部分との間の衝突が回避される本発明に係る方法の実施例を示す図である。
【０２１２】
図５においては、一群の歯の仮想モデルの歯肉状部分を改変するときに、修復物に対する挿入方向２０が考慮される。修復物１４の仮想モデルのオフセットにより定義される第２表面１７にては、周縁ライン２１が定義される。挿入方向２０は、一群の歯の仮想モデルにおけるインプラント・アナログ１３の配向及び位置から決定される。図５の例において、挿入方向２０は、歯１１、１２の長手軸線に対して傾斜される。これにより、（挿入方向２０及び周縁ライン２１により定義される）挺出体積は、一群の歯の仮想モデルの歯の一部分２２に衝突する。故に、前記修復物は、図５ａに示された一群の歯の仮想モデルから製造された物理的模型内へと、挿入方向２０に沿っては挿入され得ない。但し、前記経路が前記インプラント・アナログにおいては依然として挿入方向２０と整列されながら、衝突が回避され得るように、インプラント領域から一定距離において、前記修復物は異なる経路を辿り得る。図５ｂには、斯かる挿入経路２３が示される。
【０２１３】
挿入経路２３は、前記インプラント・アナログにおける周縁ライン２１及び挿入方向２０により定義される第１挺出体積と、上側の周縁ライン及び上側の挿入方向により定義される第２挺出体積とを組み合わせることにより導出され得、その場合に前記上側の周縁ラインは、隣接する歯の先端における前記修復物の対応部分により定義され得る。
【０２１４】
図６は、修復物の体積と、一群の歯の仮想モデルの歯肉状部分の体積との間の重なり合い部無しで、前記修復物の仮想モデルが仮想的に挿入され得ることを実現するために、一群の歯の仮想モデルが如何にして生成かつ改変され得るかを示している。
【０２１５】
処置のこの部分の出発点は、インプラントが患者の顎骨内に載置されると共に、一群の歯の仮想モデルから製造された物理的模型が、アバットメントの挿入を許容するように、操作者が前記一群の歯の仮想モデルを設計することを意図した場合である。前記アバットメントが前記歯の物理的模型内に挿入され得るときには、その患者に対して設計されたクラウンが前記アバットメントに配置され得ると共に、設計された前記クラウン（及びアバットメント）の美観的及び機能的な特性が評価され得る。
【０２１６】
６０１における口腔内走査により、前記一群の歯の第２の３次元表現が獲得されると共に、前記一群の歯の第２の仮想モデルが生成される。この走査の間において前記インプラント内にはシール・ユニットが配置され得るが、このシール・ユニットは前記領域における歯肉のエマージェンスプロファイルは覆わない。次に、前記一群の歯の第２の仮想モデルであって、歯肉の出現ラインを含む第２の仮想モデルが生成される。
【０２１７】
次に、第１走査段階６０２においては、前記インプラント内には走査体が配置されると共に、前記一群の歯の第１の３次元表現が獲得される。前記第１及び第２の走査段階は、第１の３次元表現のデータが、前記一群の歯の第２の仮想モデルへと直接的に移し換えられ得るように、共通の基準系を使用する。前記一群の歯の部分であって、前記インプラントが載置される領域を囲繞する部分に関するデータは、前記第２走査段階で既に獲得されていることから、前記第１走査段階においては、前記インプラントの領域のみが走査される。
【０２１８】
前記主要走査段階からのデータを前記一群の歯の第２の仮想モデルへと移し換えると、前記仮想モデルは今や、前記エマージェンスプロファイル及び走査体の両方に関するデータを備えて成る。
【０２１９】
次に、前記走査体のＣＡＤモデルが、この第２の仮想モデルの走査体部分と整列６０３される。これにより、前記インプラントの位置及び配向が導出され得ると共に、インプラントの位置及び配向とエマージェンスプロファイルとを備えた仮想モデルが生成６０４される。
【０２２０】
前記第１走査段階が前記第２走査段階の前に実施され得るように、これらの２つの走査段階が行われる順序は重要でない。もし、前記走査体を伴う走査が最初に行われるなら、該走査体は、該走査体無しでの走査が行われる前に、前記インプラントから取り外される。次に、前記一群の歯の仮想モデルが生成されるように、前記第２の仮想モデルから（又は、前記一群の歯の第２の３次元表現から直接的に）、エマージェンスプロファイルが抽出されると共に、前記第１の仮想モデルへと移し換えられる。
【０２２１】
両方の場合において、一群の歯の生成された仮想モデルは、該一群の歯の歯肉状部分を備えて成り、該歯肉状部分は、修復物の挿入のために構成された領域であって、歯肉部のエマージェンスプロファイルと、インプラントの位置及び配向との両方を備える領域を備えて成る。
【０２２２】
前記第１及び第２の走査段階はまた、インプラントの位置及び配向を示す走査フラグを用いての、患者の一群の歯の印象に対するものともされ得る。
【０２２３】
例えば、インプラントに対するクラウンをモデル化するときに、修復物の咬合が評価され且つ考慮され得るように、対合歯も走査され得る。
【０２２４】
段階６０５においては、前記修復物の挿入方向が決定される。
【０２２５】
段階６０６においては、アバットメントの仮想モデルのような前記一群の歯に対する修復物の仮想モデルが獲得されると共に、前記一群の歯の生成された仮想モデルに対して仮想的に整列される。前記修復物の仮想モデルは、例えば、３Ｄスプラインを用いて境界ラインを定義することにより、患者の一群の歯に対して設計され得る。
【０２２６】
前記修復物の最終設計態様が獲得されたとき、それは、一群の歯の仮想モデルから減算され、又は、前記修復物の仮想モデルのオフセット表面に対応する体積が、一群の歯の仮想モデルから減算される。そのとき、前記修復物の周縁ラインと、挿入方向とに基づき、挺出体積が決定され得る。次に、一群の歯の改変済み仮想モデルが提供６０７されるように、前記挺出体積は前記一群の歯の仮想モデルから減算される。
【０２２７】
そのとき、一群の歯の生成され且つ改変された仮想モデルは、前記修復物の体積と歯肉状部分の体積との間の重なり合い部無しで、前記歯科的修復物の仮想モデルが前記領域内に仮想的に挿入され得るようにある。この処置の結果は、アバットメントのような修復物の仮想モデルから製造された修復物が、一群の歯の改変済み仮想モデルから製造された一群の歯の物理的模型内へと挿入され得る、ということである。
【０２２８】
図７は、比較的に柔軟で圧縮可能な材料で作成された第２歯肉状領域を実現するときに、前記歯の物理的模型に関して配置されたカバーが如何にして使用され得るかを示している。
【０２２９】
カバー２００は、模型対向表面２０２と貫通チャネル２０３とを有する頂部２０１を備えて成る。更に、カバー２００は、一群の歯の物理的模型１０１のインプラント・アナログ１３０内へと嵌合されるべく構成されたインプラント用係合部分２０４を有する。カバー２００がインプラント・アナログ１３０に関して配置されたとき、模型対向表面２０２は、前記物理的模型の対向表面２０６と協働して、体積２０５を囲繞する。貫通チャネル２０３は、囲繞された体積２０５が該貫通チャネル２０３を介して第２歯肉部分用材料で満たされ得るように、該囲繞体積に対する液体接続を提供する。囲繞された体積２０５が第２歯肉部分用材料により満たされたとき、該第２歯肉部分用材料は、模型対向表面２０２に従い形状化される。
【０２３０】
図７ｂに示されたように、前記カバーが取り外されたとき、一群の歯の物理的模型１０１には、前記第２歯肉部分用材料により満たされた（囲繞された体積２０５に対応する）第２歯肉状領域２０６が形成されている。第２歯肉状領域２０６の表面２０７は、前記カバーの模型対向表面２０２に従い形状化される。
【０２３１】
一群の歯の物理的模型１０１の表面２０８は、研削により手動的に画成され得る。
【０２３２】
もし、前記第２歯肉部分用材料が十分に柔軟で圧縮可能であるなら、此処ではアバットメント１４０により例証される歯科的修復物は、前記第２歯肉部分用材料を図７ｃに示されたように挿入を許容するに十分なほど変形させる圧力を付与することにより、インプラント・アナログ１３０内へと挿入され得る。前記第２材料は、例えば、歯科用シリコーンであり得る。
【０２３３】
幾つかの実施例において、前記カバーの模型対向表面は、既知のアバットメントの表面に従い形状化される。すなわち、１つのカバーにより形成される第２歯肉状区画が、対応する１つのアバットメントに従い形状化されるように、既知の複数のアバットメントの表面に基づいて異なる複数のカバーが製造され得る。その場合、第２歯肉部分用材料の圧縮性に対する要件は厳密さが少なく、且つ、更に多様な材料が使用され得る。
【０２３４】
図８は、本発明に係る発明的なカバーの概略的表現を示示している。
【０２３５】
図８ａは、インプラント用係合部分２０４と、模型対向表面２０２及び貫通路を備えた頂部とを備えたカバー２００の一例を示している。前記カバーが一群の歯の物理的模型に対して配置されたとき、インプラント用係合部分２０４は前記インプラント・アナログ内に載置され、且つ、前記頂部の下側部分２０９は前記物理的模型の歯肉状部分上に着座する。インプラント用係合部分２０４の長さは、前記インプラント・アナログにおけるそれの位置が、下側部分２０９が前記物理的模型と協働して所定体積を囲繞するように調節され得るということを実現すべく適合化される。
【０２３６】
図８ｂは、模型対向表面２０２が、既知のアバットメント１４の表面に従い形状化される、カバー２００の一例を示している。インプラント用係合部分２０４に最も近い模型対向表面２０２の部分は、アバットメント１４の対応表面に従い、又は、該対応表面の明確なオフセットにより、形状化される。このカバーを用いて前記第２歯肉状領域が形成されるときには、前記第２歯肉部分用材料が比較的に圧縮不可能であっても、対応するアバットメントは物理的模型内に嵌合する。
【０２３７】
図９は、一群の歯の物理的模型の歯肉状部分内に配置されるべく構成されたインプラント・アナログの例を示している。
【０２３８】
同図は、物理的模型の歯肉状部分５０３内に画成された孔内に配置されたインプラント・アナログ５０１の側面図を示している。中央体積５０２は、頂端部から、その遠位端５０５に向けて、前記インプラント・アナログの長手方向に沿い延在する。遠位端５０５においては、前記孔の壁部の丸み付き角隅部５０７に対し、且つ、可能的には、該孔から除去されなかった過剰材料に対して、余裕空間が残されるように、停止表面５０６は、減少された断面積を有するように構成される。前記丸み付き角隅部は、前記孔を画成すべく使用されたドリルが丸形先端を有するときに生成され得る。前記インプラント・アナログの断面形状５０４は、前記インプラント・アナログが、前記物理的模型の歯肉状部分に対して該インプラント・アナログの正しい配向を以てのみ配置され得ることを確実とする１つの様式を例証している。
【０２３９】
インプラント・アナログ５０１には高さ点検溝５０８が画成されることで、該インプラント・アナログ５０１が物理的模型の歯肉状部分内の正しい位置に配置されたか否かに関する視覚的又は接触的な点検が許容される。前記模型の歯肉状部分には、（同図中には示されない）窓部又は貫通孔が配備されることで、該模型の外部から前記インプラント・アナログに対する視覚的及び／又は物理的な接触が許容される。
【０２４０】
前記窓部若しくは貫通孔は、それが、物理的模型の製造により直接的に形成され、又は、物理的模型の製造の後に形成されるように、一群の歯の歯肉状部分の仮想モデル化において提供され得る。
【０２４１】
図１０は、本発明の実施形態からの画面描写を示している。本発明の方法を用いて、インプラント１０８１の位置及び配向を備えた一群の歯の仮想モデル１０８０が生成されている。前記画面描写においては、前記一群の歯に基づいて設計されるべき修復物１０８２（アバットメント）もまた視認される。
【０２４２】
図６は、斯かる一群の歯の仮想モデルを生成する方法の幾つかの実施例を記述していた。
【０２４３】
図１１は、本発明の実施形態からの画面描写を示している。
【０２４４】
一群の歯の仮想モデル１１８０は今や、例えば、製造された物理的模型を咬合器内に配置するための基部及びコネクタを備えている。図１１ａにおいては、修復物のために構成された領域においてエマージェンスプロファイル１１９０が視認される。図１１ｂにおいては、一群の歯の生成され且つ改変された当該仮想モデルから製造された一群の歯の物理的模型内へと、製造された修復物が挿入され得るように、修復物（アバットメント）の仮想モデルと一群の歯の仮想モデルとの間に重なり合い部が無いことを実現するために、一群の歯の仮想モデルは改変されている。
【０２４５】
幾つかの実施例が詳細に記述され且つ示されてきたが、本発明はそれらに限定されず、以下における各請求項中に定義された主題の有効範囲内で他の様式でも具現され得る。特に、本発明の有効範囲から逸脱せずに、他の実施例が利用され得ると共に、構造的及び機能的な改変が為され得ることを理解すべきである。
【０２４６】
幾つかの手段を列挙するデバイス請求項において、これらの手段の幾つかは、１つの同一のハードウェアにより具現され得る。幾つかの手段が、相互に異なる従属請求項に記載されており、又は、異なる実施例において記述されている単なる事実は、これらの手段の組み合わせが好適には使用され得ないことを表してはいない。
【０２４７】
本明細書において使用される場合に「備えて成る／備えて成っている」という語句は、述べられた特定見地、整数段階又は構成要素の存在を特定するものと解釈されるが、１つ以上の他の特定見地、整数段階、構成要素、又は、それらの群の存在若しくは付加を排除してはいないことが強調されねばならない。
【０２４８】
「先行請求項のいずれか一項に記載の」という表現は、１つの又は幾つかの従属請求項の限定が独立請求項内へと読み込まれ得るように、「先行請求項のいずれか一項以上に記載の」ということを意味すると解釈され得ることが重視されるべきである。
【０２４９】
前記において及び以下において記述される特定見地は、ソフトウェアにおいて実現され得ると共に、データ処理システム、又は、コンピュータ実行可能命令の実行により引き起こされる他の処理手段上で実施され得る。前記命令は、記憶媒体から、又は、コンピュータ・ネットワークを介して別のコンピュータから、ＲＡＭのようなメモリ内にロードされたプログラム・コード手段であり得る。代替的に、記述された前記各特定見地は、ソフトウェアの代わりに、又は、ソフトウェアと組み合わされた、ハードウェア回路機構により実施され得る。
【０２５０】
項目：
１．修復物の挿入のために構成された領域であって、当該一群の歯の歯肉状部分に配置される領域を具備する一群の歯の仮想モデルを生成かつ改変する方法であって、
前記一群の歯の少なくとも１つの３次元表現を獲得する段階と、
前記３次元表現から前記一群の歯の仮想モデルを生成する段階であって、前記一群の歯の仮想モデルは歯肉状部分を有し、該歯肉状部分は修復物の挿入のために構成された前記領域に対応する仮想領域を有し、且つ、歯肉部の少なくとも一部分は該領域を囲繞する段階と、
前記修復物の仮想モデルを獲得する段階と、
前記修復物の仮想モデルの体積と、前記一群の歯の仮想モデルの前記歯肉状部分の体積との間における重なり合い部無しで、前記修復物の仮想モデルが前記仮想領域内に仮想的に挿入され得るように、前記一群の歯の仮想モデルの前記歯肉状部分を改変する段階と、
を含む方法。
【０２５１】
２．患者の前記一群の歯を、前記インプラント領域に配置された走査体と共に走査することにより、前記一群の歯の第１の３次元表現が獲得される項目１に係る方法。
【０２５２】
３．前記一群の歯の仮想モデルは、前記第１の３次元表現から少なくとも部分的に生成される項目１又は２に係る方法。
【０２５３】
４．患者の前記一群の歯を、前記インプラント領域におけるエマージェンスプロファイルを視認可能とし乍ら走査することにより、前記一群の歯の第２の３次元表現が獲得される先行項目のいずれか１つに係る方法。
【０２５４】
５．前記一群の歯の仮想モデルは、前記第２の３次元表現から少なくとも部分的に生成される先行項目のいずれか１つに係る方法。
【０２５５】
６．前記一群の歯の前記第１の３次元表現又は前記第２の３次元表現の一方は、患者の前記一群の歯の比較的に大寸の区画を走査することにより獲得され、且つ、
次いで、前記第１の３次元表現又は前記第２の３次元表現の他方は、前記インプラント領域の回りの比較的に小寸の区画を走査することにより獲得される先行項目のいずれか１つに係る方法。
【０２５６】
７．当該方法は、前記一群の歯の前記第１の３次元表現から、前記一群の歯の第１の仮想モデルを生成する段階を含む先行項目のいずれか１つに係る方法。
【０２５７】
８．当該方法は、前記一群の歯の前記第２の３次元表現から、前記一群の歯の第２の仮想モデルを生成する段階を含む先行項目のいずれか１つに係る方法。
【０２５８】
９．当該方法は、前記一群の歯の前記第１の仮想モデル及び前記第２の仮想モデルを組み合わせて、前記一群の歯の前記仮想モデルを生成する段階を含む先行項目のいずれか１つに係る方法。
【０２５９】
１０．前記走査体の仮想モデルが提供されると共に、前記一群の歯の前記第１の仮想モデルと仮想的に整列されることで、前記インプラントの配向及び位置が決定される先行項目のいずれか１つに係る方法。
【０２６０】
１１．前記修復物は、前記一群の歯の前記仮想モデルに基づいて設計される先行項目のいずれか１つに係る方法。
【０２６１】
１２．前記修復物は、事前製造されたアバットメントのような、事前製造された修復物である先行項目のいずれか１つに係る方法。
【０２６２】
１３．前記一群の歯の改変された前記仮想モデルは、前記一群の歯の物理的模型を製造するためのものである先行項目のいずれか１つに係る方法。
【０２６３】
１４．前記修復物の仮想モデルの少なくとも歯肉下部分は、解剖学的に正しい修復物の形状を有するように構成される先行項目のいずれか１つに係る方法。
【０２６４】
１５．前記一群の歯の生成された仮想モデルの前記歯肉状部分は、前記修復物の体積及び該歯肉状部分の体積が重なり合わないことを直接的に実現する先行項目のいずれか１つに係る方法。
【０２６５】
１６．前記一群の歯の仮想モデルは一段階において生成され、且つ、
前記仮想モデルの前記歯肉状部分は引き続き改変されることで、前記修復物の体積及び該歯肉状部分の体積が重なり合わないことを実現する先行項目のいずれか１つに係る方法。
【０２６６】
１７．前記一群の歯の仮想モデルの前記歯肉状部分は改変されることで、前記修復物の仮想モデルと、該一群の歯の仮想モデルの歯肉状部分との夫々の隣接表面は相互に追随することを実現する先行項目のいずれか１つに係る方法。
【０２６７】
１８．前記修復物の仮想モデルと、前記一群の歯の仮想モデルの歯肉状部分との夫々の隣接表面の間にはオフセットが設けられている先行項目のいずれか１つに係る方法。
【０２６８】
１９．当該方法は、前記修復物のための挿入経路を決定する段階を含む先行項目のいずれか１つに係る方法。
【０２６９】
２０．前記挿入経路は、前記インプラントにおける挿入方向に従う先行項目のいずれか１つに係る方法。
【０２７０】
２１．当該方法は、前記修復物のための周縁ラインを特定する段階を含む先行項目のいずれか１つに係る方法。
【０２７１】
２２．前記周縁ラインは、前記修復物の仮想モデルが前記挿入方向に沿い視認されたときにおける該修復物の外周として定義される先行項目のいずれか１つに係る方法。
【０２７２】
２３．前記周縁ラインは、前記オフセット表面が前記挿入方向に沿い視認されたときにおける該オフセット表面の外周として定義される先行項目のいずれか１つに係る方法。
【０２７３】
２４．前記挿入方向及び前記周縁ラインにより挺出体積が定義される先行項目のいずれか１つに係る方法。
【０２７４】
２５．前記挿入経路及び前記周縁ラインにより挺出体積が定義される先行項目のいずれか１つに係る方法。
【０２７５】
２６．前記一群の歯の仮想モデルの前記歯肉状部分を改変する段階は、前記修復物の体積及び前記歯肉部の体積が重なり合わない様に、前記歯肉部の一部分をデジタル的に切り取る段階を含む先行項目のいずれか１つに係る方法。
【０２７６】
２７．一群の歯の物理的模型を製造するための一群の歯の仮想モデルを生成かつ改変する方法であって、
前記一群の歯の３次元表現を獲得する段階と、
前記３次元表現から前記一群の歯の仮想モデルを生成する段階であって、前記一群の歯の仮想モデルは歯肉部を備えた歯肉状部分を有する段階と、
前記歯肉状部分を改変し、前記仮想モデルの領域であって、修復物の挿入のために構成された領域において、修復物の挿入を可能とする段階と、
を含む方法。
【０２７７】
２８．前記歯肉状部分を改変する段階は、前記３次元表現から生成された前記仮想モデルの前記歯肉状部分を改変する段階を含む先行項目のいずれか１つに係る方法。
【０２７８】
２９．前記歯肉状部分を改変する段階は、前記修復物における前記歯肉状部分の材料を、修復物が前記歯肉状部分を変形させ得るように、十分に柔軟に構成する段階を含む先行項目のいずれか１つに係る方法。
【０２７９】
３０．前記歯肉状部分を改変する段階は、修復物の挿入のために構成された前記領域において前記歯肉状部分の一部分を仮想的に除去する段階を含む先行項目のいずれか１つに係る方法。
【０２８０】
３１．当該方法は、修復物の挿入のために構成された前記領域において、前記仮想モデルの前記歯肉状部分に対して材料を仮想的に付加する段階を含む先行項目のいずれか１つに係る方法。
【０２８１】
３２．当該方法は、前記模型を製造する前に、前記修復物の回りにおいて前記モデルの歯肉状部分をデジタル的に再位置決めする段階を含む先行項目のいずれか１つに係る方法。
【０２８２】
３３．前記一群の歯の仮想モデルの前記歯肉状部分をデジタル的に再位置決めする段階は、前記修復物の仮想モデルから歯肉部をデジタル的に離間移動させる段階を含む先行項目のいずれか１つに係る方法。
【０２８３】
３４．前記一群の歯の仮想モデルの前記歯肉状部分は、修復物の挿入のために構成された領域における第１表面を画成する先行項目のいずれか１つに係る方法。
【０２８４】
３５．前記第１表面は、前記エマージェンスプロファイルの少なくとも一区画に追随する先行項目のいずれか１つに係る方法。
【０２８５】
３６．前記一群の歯の仮想モデルを改変する段階は、前記第１表面を第２表面により置き換える段階を含み、
前記第２表面は、前記修復物の仮想モデルが、前記一群の歯の改変された前記仮想モデルとの重なり合い部無しで前記仮想的インプラント領域内に仮想的に配置されるように形状化される先行項目のいずれか１つに係る方法。
【０２８６】
３７．前記一群の歯の仮想モデルの前記歯肉状部分は、前記歯肉部の一部分の仮想的な除去の後において、修復物の挿入のために構成された前記領域における前記第２表面を画成する先行項目のいずれか１つに係る方法。
【０２８７】
３８．前記第２表面の少なくとも一区画は、前記修復物の仮想モデルの表面の一部分をオフセットすることにより画成される先行項目のいずれか１つに係る方法。
【０２８８】
３９．当該方法は、前記修復物の仮想モデルを、又は、前記オフセット表面により囲繞された体積を、前記一群の歯の仮想モデルから減算する段階を含む先行項目のいずれか１つに係る方法。
【０２８９】
４０．前記一群の歯の仮想モデルの前記歯肉状部分は、該歯肉部に対して材料を仮想的に付加した後で、修復物の挿入のために構成された領域において第３表面を画成する先行項目のいずれか１つに係る方法。
【０２９０】
４１．前記一群の歯の仮想モデルの前記歯肉状部分は、前記第２表面により第１歯肉状領域及び第２歯肉状領域へと分割される先行項目のいずれか１つに係る方法。
【０２９１】
４２．前記第２歯肉状領域は前記第２表面と前記第３表面との間に配置され、前記第２表面は、前記第１歯肉状領域と前記第２歯肉状領域との間の境界部を形成する先行項目のいずれか１つに係る方法。
【０２９２】
４３．前記第３表面は前記第１表面と実質的に同一である先行項目のいずれか１つに係る方法。
【０２９３】
４４．前記第１歯肉状領域は、前記仮想モデルから製造された物理的模型において第１材料で製造されるべく構成される先行項目のいずれか１つに係る方法。
【０２９４】
４５．前記第２歯肉状領域は、前記仮想モデルから製造された物理的模型において第２材料で製造されるべく構成される先行項目のいずれか１つに係る方法。
【０２９５】
４６．前記第２材料は、周囲条件にて前記第１材料よりも更に柔軟であるべく構成される先行項目のいずれか１つに係る方法。
【０２９６】
４７．口腔内スキャナにより前記一群の歯を走査し、又は、前記一群の歯の印象を走査するなどにより、前記一群の歯を走査することで該一群の歯の仮想表現が提供される先行項目のいずれか１つに係る方法。
【０２９７】
４８．前記修復物は、アバットメント若しくは該アバットメント上に配置されたクラウン、インプラント・バー、又は、基本的に、歯科的な修復物に関して使用される他の任意の目印のような、修復物全体又は修復物の一部分を含む先行項目のいずれか１つに係る方法。
【０２９８】
４９．前記一群の歯の仮想モデルの前記歯肉状部分を改変する段階は、前記修復物の体積及び前記歯肉部の体積が重なり合わない様に、前記歯肉部の一部分をデジタル的に切り取る段階を含む先行項目のいずれか１つに係る方法。
【０２９９】
５０．前記第２材料は、前記仮想モデルから製造された前記物理的模型において着脱可能ユニット内に収容されるべく構成される先行項目のいずれか１つに係る方法。
【０３００】
５１．前記模型の前記歯肉状部分に対して材料を付加する段階は、歯肉部マスクを生成する段階を含む先行項目のいずれか１つに係る方法。
【０３０１】
５２．修復物の正しい位置決めを可能とすべく構成された後の前記歯肉状部分は、前記修復物の隣接表面に追随すべく構成される先行項目のいずれか１つに係る方法。
【０３０２】
５３．前記修復物及び前記模型の歯肉状部分の夫々の隣接表面の間には、空隙が配備される先行項目のいずれか１つに係る方法。
【０３０３】
５４．前記歯肉部マスクは、前記模型の前記歯肉状部分上に配置された第２保持構造と合致係合すべく構成された第１保持構造を有し、前記第１保持構造及び前記第２保持構造が合致係合したときに前記歯肉部マスクが解剖学的に正しく配置される項目５１乃至５３のいずれか１つに係る方法。
【０３０４】
５５．前記モデルの前記歯肉状部分は、当該アンダカット領域内に前記第２歯肉状領域が部分的に局限されるアンダカット領域を有する先行項目のいずれか１つに係る方法。
【０３０５】
５６．当該方法は、開口を有するように前記歯肉部マスクを構成する段階を含み、前記開口は、修復物が、前記歯肉部マスクの下方に配置された前記歯肉状部分にアクセスすることを可能にするように構成される項目２８乃至３３のいずれか１つに係る方法。
【０３０６】
５７．前記一群の歯の仮想モデルの前記歯肉状部分には仮想的孔が配備され、
前記仮想的孔は、前記一群の歯の物理的模型における対応孔が、該一群の歯の物理的模型の歯肉状部分内へと嵌合すべく構成された前記修復物の部分と合致係合すべく構成されるようにある先行項目のいずれか１つに係る方法。
【０３０７】
５８．前記仮想的孔は、前記一群の歯の物理的模型の前記対応孔内へとインプラント・アナログが手動的に挿入されることを可能にするように構成される項目５７に係る方法。
【０３０８】
５９．前記仮想的孔及び／又は前記インプラント・アナログは、前記インプラント・アナログが正しい解剖学的な位置及び配向においてのみ前記模型の歯肉状部分内へと挿入され得るように構成される項目５７又は５８に係る方法。
【０３０９】
６０．前記インプラント・アナログは、Ｎを２５未満の整数として、Ｎ回対称性のような少ない断面回転対称性を備えた形状を有するように構成される項目５７乃至５９のいずれか１つに係る方法。
【０３１０】
６１．当該方法における幾つかの段階はコンピュータにより実行される先行項目のいずれか１つに係る方法。
【０３１１】
６２．前記孔に対し、前記一群の歯の物理的模型における対応排出用孔が流体接続されて、修復物又はインプラント・アナログが、前記対応排出用孔を介してアクセスされて、前記一群の歯の物理的模型の歯肉状部分から排出され得ることを実現すべく、前記一群の歯の仮想モデルの前記歯肉状部分は構成される先行項目のいずれか１つに係る方法。
【０３１２】
６３．前記インプラント・アナログは、その遠位端にて、更に小さな断面積を有する停止区画を有するように構成され、
前記停止区画は、好適には、前記インプラント・アナログの長手軸線の回りに中心的に配置される先行項目のいずれか１つに係る方法。
【０３１３】
６４．前記一群の歯の仮想モデルの前記歯肉状部分に画成された前記仮想的孔は、前記一群の歯の物理的模型における前記対応孔が、その遠位端において丸み付き縁部を有することを実現すべく構成される先行項目のいずれか１つに係る方法。
【０３１４】
６５．当該方法は、前記第１歯肉状領域と協働して前記第２歯肉状領域を囲繞すべく構成されたカバーを配備する段階を含む先行項目のいずれか１つに係る方法。
【０３１５】
６６．前記カバーは、前記歯の前記仮想モデルから製造された物理的模型における前記第２歯肉状領域内への前記第２材料の注入を可能にするように構成された開口を有する項目６５に係る方法。
【０３１６】
６７．前記第２歯肉状領域に対向する前記カバーの表面は、前記第３表面として形状化される項目６５又は６６に係る方法。
【０３１７】
６８．当該方法は、前記模型が特定の製造プロセスにより製造されるべく設計して構成する段階を含む先行項目のいずれか１つに係る方法。
【０３１８】
６９．一群の歯の物理的模型を製造するための一群の歯の仮想モデルを生成する方法であって、
前記一群の歯の仮想モデルであって、歯肉部を備えた歯肉状部分を有する仮想モデルを獲得する段階と、
前記モデルの前記歯肉状部分に対して当該修復物の解剖学的に正しい位置に配置すべく構成された修復物の仮想モデルを獲得する段階であって、前記歯肉部の表面は前記修復物において第１表面を画成する段階と、
改変する歯肉部の表面が前記修復物において第２表面を画成するように、前記修復物における前記歯肉部を改変する段階であって、前記第２表面は、前記修復物の体積と、前記モデルの歯肉状部分の体積との間の重なり合い部を回避すべく構成される段階と、
を含む方法。
【０３１９】
７０．一群の歯の物理的模型を製造するための一群の歯の仮想モデルを調節する方法であって、
歯肉状部分を有する前記一群の歯の仮想モデルの調節前形態を獲得する段階と、
前記モデルの前記歯肉状部分に対して当該修復物の解剖学的に正しい位置に配置すべく構成された修復物の仮想モデルを獲得する段階であって、前記修復物が前記解剖学的に正しい位置に配置されたとき前記一群の歯の仮想モデルの前記歯肉状部分の体積と、前記修復物の前記仮想モデルの体積とが重なり合う段階と、
前記修復物に配置された前記一群の歯の仮想モデルの前記歯肉状部分の一部分を調節して、前記一群の歯の仮想モデルの調節後形態を提供する段階であって、前記調節後形態において、前記モデルの前記歯肉状部分は、前記修復物の前記仮想モデルの体積と、前記一群の歯の仮想モデルの前記歯肉状部分の体積との間の重なり合い部を回避すべく構成される段階と、を含む方法。
【０３２０】
７１．前記歯肉状部分の調節段階は、前記各体積間の重なり合い部が回避されるように前記歯肉状部分の形状を構成する段階を含む項目７０に係る方法。
【０３２１】
７２．当該方法は、前記歯肉状部分を修復物が変形し得るように、前記修復物における前記歯肉部の材料を十分に柔軟に構成する段階を含む項目７１又は７２に係る方法。
【０３２２】
７３．一群の歯の物理的模型を生成する方法であって、
前記一群の歯の少なくとも１つの３次元表現を獲得する段階と、
前記少なくとも１つの３次元表現から前記一群の歯の仮想モデルを生成して改変する段階であって、前記一群の歯の仮想モデルは歯肉状部分を有する段階と、
前記歯肉状部分を改変し、前記一群の歯の仮想モデルの領域であって、修復物の挿入のために構成された領域において、修復物の挿入を可能とする段階と、
前記一群の歯の仮想モデルから前記物理的模型を製造する段階と、
を含む方法。
【０３２３】
７４．当該方法は、前記物理的模型を３次元印刷又はフライス加工により製造する段階を含む先行項目のいずれか１つに係る方法。
【０３２４】
７５．前記物理的模型は、一群の歯の該物理的模型の一部分として、少なくとも部分的に柔軟な型成形物を鋳造するための鋳造成形型を用いて製造され得る項目７３又は７４に係る方法。
【０３２５】
７６．前記仮想モデルの少なくとも一部分の印象として鋳造成形型用ＣＡＤモデルが生成され、該鋳造成形型用ＣＡＤモデルはこれにより、前記一群の歯の陰画的な幾何学形状を備えて成る、項目７５に係る方法。
【０３２６】
７７．前記第２材料は、周囲条件にて前記第１材料よりも更に柔軟であり且つ更に圧縮可能である項目７３乃至７６のいずれか１つに係る方法。
【０３２７】
７８．項目１乃至７７のいずれか１つに係る方法により生成して改変された前記一群の歯の仮想モデルから製造された一群の歯の物理的模型。
【０３２８】
７９．先行項目のいずれか１つに係る一群の歯の物理的模型内に、先行項目のいずれか１つに係る修復物が配置されたときに、該修復物を排出するための排出用工具。
【０３２９】
８０．前記模型の前記歯肉状部分における貫通孔に嵌合すべく適合化された長寸構成要素を具備する項目７９に係る排出用工具。
【０３３０】
８１．前記修復物における盲孔及び／又は貫通孔に嵌合すべく適合化された長寸構成要素を具備する項目７９又は８０に係る排出用工具。
【図１】
0005997184.tif 000002
【図２ａ】
0005997184.tif 000003
【図２ｂ】
0005997184.tif 000004
【図２ｃ】
0005997184.tif 000005
【図２ｄ】
0005997184.tif 000006
【図３ａ】
0005997184.tif 000007
【図３ｂ】
0005997184.tif 000008
【図３ｃ】
0005997184.tif 000009
【図３ｄ】
0005997184.tif 000010
【図４ａ）】
0005997184.tif 000011
【図４ｂ）】
0005997184.tif 000012
【図５ａ】
0005997184.tif 000013
【図５ｂ】
0005997184.tif 000014
【図６】
0005997184.tif 000015
【図７ａ】
0005997184.tif 000016
【図７ｂ】
0005997184.tif 000017
【図７ｃ】
0005997184.tif 000018
【図８ａ】
0005997184.tif 000019
【図８ｂ】
0005997184.tif 000020
【図９】
0005997184.tif 000021
【図１０】
0005997184.tif 000022
【図１１ａ】
0005997184.tif 000023
【図１１ｂ】
0005997184.tif 000024